(57)【特許請求の範囲】
【請求項１】
無線通信システムのユーザ機器（ＵＥ）で上りリンク信号を送信する方法であって、前記方法は、
物理上りリンク共有チャネル（ＰＵＳＣＨ）の復調のための参照信号に対する第１のパラメータ
【数１】
0005941561.tif 000294
および第２のパラメータ
【数２】
0005941561.tif 000295
が提供される場合に、前記ＵＥにより、
【数３】
0005941561.tif 000296
および
【数４】
0005941561.tif 000297
に基づいて前記参照信号のシーケンスを生成することと、
前記ＵＥにより、前記生成された参照信号を送信することと
を含み、
【数５】
0005941561.tif 000298
が提供され、前記参照信号に対するシーケンスグループホッピングが不能化され、シーケンスホッピングが可能化される場合に、前記参照信号に対する基本シーケンス番号ｖを決定するために用いられる擬似−任意シーケンス生成器は、それぞれの無線フレームの開始時に、
【数６】
0005941561.tif 000299
によって初期化され、前記参照信号のシーケンスシフトパターン
【数７】
0005941561.tif 000300
が、
【数８】
0005941561.tif 000301
によって決定され、
【数９】
0005941561.tif 000302
が提供される場合に、前記参照信号の循環シフトホッピングを決定するために用いられる擬似−任意シーケンス生成器は、それぞれの無線フレームの開始時に、
【数１０】
0005941561.tif 000303
によって初期化され、
【数１１】
0005941561.tif 000304
は、前記循環シフトホッピングに対する擬似−任意シーケンスの初期値であり、
ｍｏｄは、モジューロ演算を意味し、
【数１２】
0005941561.tif 000305
および
【数１３】
0005941561.tif 000306
は、上位層により提供される別個のパラメータである、方法。
【請求項２】
【数１４】
0005941561.tif 000307
が提供され、前記参照信号に対するシーケンスグループホッピングが可能化される場合に、前記参照信号に対するシーケンスグループホッピングパターンを決定するために用いられる擬似−任意シーケンス生成器は、
【数１５】
0005941561.tif 000308
によって初期化される、請求項１に記載の方法。
【請求項３】
【数１６】
0005941561.tif 000309
が提供されず、前記参照信号に対するシーケンスグループホッピングが可能化される場合に、前記参照信号に対する前記シーケンスグループホッピングパターンを決定するために用いられる前記擬似−任意シーケンス生成器は、それぞれの無線フレームの開始時に、
【数１７】
0005941561.tif 000310
によって初期化され、
【数１８】
0005941561.tif 000311
は、物理層セルＩＤであり、前記物理層セルＩＤの値は、０〜５０３のうちの１つである、請求項２に記載の方法。
【請求項４】
【数１９】
0005941561.tif 000312
が提供されない場合に、前記参照信号の前記シーケンスシフトパターン
【数２０】
0005941561.tif 000313
は、
【数２１】
0005941561.tif 000314
によって決定され、
【数２２】
0005941561.tif 000315
は前記上位層によって提供される、請求項３に記載の方法。
【請求項５】
【数２３】
0005941561.tif 000316
が提供されず、前記参照信号に対するシーケンスグループホッピングが不能化され、シーケンスホッピングが可能化される場合に、前記参照信号に対する前記基本シーケンス番号ｖを決定するために用いられる前記擬似−任意シーケンス生成器は、それぞれの無線フレームの開始時に、
【数２４】
0005941561.tif 000317
によって初期化される、請求項４に記載の方法。
【請求項６】
【数２５】
0005941561.tif 000318
が提供されない場合に、前記参照信号の循環シフトホッピングを決定するために用いられる前記擬似−任意シーケンス生成器は、それぞれの無線フレームの開始時に、
【数２６】
0005941561.tif 000319
によって初期化される、請求項４または５に記載の方法。
【請求項７】
前記参照信号は、前記ＰＵＳＣＨが送信されるスロットにおいて、一つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボル上で送信される、請求項６に記載の方法。
【請求項８】
上りリンク信号を送信するユーザ機器（ＵＥ）であって、前記ユーザ機器（ＵＥ）は、
受信器と、
送信器と、
プロセッサと
を備え、
物理上りリンク共有チャネル（ＰＵＳＣＨ）の復調のための参照信号に対する第１のパラメータ
【数２７】
0005941561.tif 000320
および第２のパラメータ
【数２８】
0005941561.tif 000321
が提供される場合に、前記プロセッサは、
【数２９】
0005941561.tif 000322
および
【数３０】
0005941561.tif 000323
に基づいて前記参照信号のシーケンスを生成することと、前記生成された参照信号を送信するように前記送信器を制御することとを実行するように構成され、
【数３１】
0005941561.tif 000324
が提供され、前記参照信号に対するシーケンスグループホッピングが不能化され、シーケンスホッピングが可能化される場合に、前記参照信号に対する基本シーケンス番号ｖを決定するために用いられる擬似−任意シーケンス生成器は、それぞれの無線フレームの開始時に、
【数３２】
0005941561.tif 000325
によって初期化され、前記参照信号のシーケンスシフトパターン
【数３３】
0005941561.tif 000326
が、
【数３４】
0005941561.tif 000327
によって決定され、
【数３５】
0005941561.tif 000328
が提供される場合に、前記参照信号の循環シフトホッピングを決定するために用いられる擬似−任意シーケンス生成器は、それぞれの無線フレームの開始時に、
【数３６】
0005941561.tif 000329
によって初期化され、
【数３７】
0005941561.tif 000330
は、前記循環シフトホッピングに対する擬似−任意シーケンスの初期値であり、
ｍｏｄは、モジューロ演算を意味し、
【数３８】
0005941561.tif 000331
および
【数３９】
0005941561.tif 000332
は、上位層により提供される別個のパラメータである、ユーザ機器（ＵＥ）。
【請求項９】
【数４０】
0005941561.tif 000333
が提供され、前記参照信号に対するシーケンスグループホッピングが可能化される場合に、前記参照信号に対するシーケンスグループホッピングパターンを決定するために用いられる擬似−任意シーケンス生成器は、
【数４１】
0005941561.tif 000334
によって初期化される、請求項８に記載のユーザ機器（ＵＥ）。
【請求項１０】
【数４２】
0005941561.tif 000335
が提供されず、前記参照信号に対するシーケンスグループホッピングが可能化される場合に、前記参照信号に対する前記シーケンスグループホッピングパターンを決定するために用いられる前記擬似−任意シーケンス生成器は、それぞれの無線フレームの開始時に、
【数４３】
0005941561.tif 000336
によって初期化され、
【数４４】
0005941561.tif 000337
は、物理層セルＩＤであり、前記物理層セルＩＤの値は、０〜５０３のうちの１つである、請求項９に記載のユーザ機器（ＵＥ）。
【請求項１１】
【数４５】
0005941561.tif 000338
が提供されない場合に、前記参照信号の前記シーケンスシフトパターン
【数４６】
0005941561.tif 000339
は、
【数４７】
0005941561.tif 000340
によって決定され、
【数４８】
0005941561.tif 000341
は前記上位層によって提供される、請求項１０に記載のユーザ機器（ＵＥ）。
【請求項１２】
【数４９】
0005941561.tif 000342
が提供されず、前記参照信号に対するシーケンスグループホッピングが不能化され、シーケンスホッピングが可能化される場合に、前記参照信号に対する前記基本シーケンス番号ｖを決定するために用いられる前記擬似−任意シーケンス生成器は、それぞれの無線フレームの開始時に、
【数５０】
0005941561.tif 000343
によって初期化される、請求項１１に記載のユーザ機器（ＵＥ）。
【請求項１３】
【数５１】
0005941561.tif 000344
が提供されない場合に、前記参照信号の循環シフトホッピングを決定するために用いられる前記擬似−任意シーケンス生成器は、それぞれの無線フレームの開始時に、
【数５２】
0005941561.tif 000345
によって初期化される、請求項１１または１２に記載のユーザ機器（ＵＥ）。
【請求項１４】
前記参照信号は、前記ＰＵＳＣＨが送信されるスロットにおいて、一つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボル上で送信される、請求項１３に記載のユーザ機器（ＵＥ）。
【発明の詳細な説明】
【技術分野】
【０００１】
以下の説明は、無線通信システムに関し、特に、上りリンク信号を送信する方法及び装置に関する。
【背景技術】
【０００２】
既存の無線通信システムに比べて増加するデータ処理要求量を満たすために、限定された周波数内で送信されるデータ容量を増大させるための多重アンテナ技術、多重基地局協調技術などが開発されている。
【０００３】
複数の基地局が同一の時間−周波数リソースを用いて端末と通信を行う多重基地局協調通信方式を支援する進展した無線通信システムでは、既存の無線通信システムにおいて一つの基地局が端末と通信を行う方式を支援することに比べて、増加したデータ処理量を提供することができる。このような協調通信に参加する基地局を、セル、アンテナポート、アンテナポートグループ、ＲＲＨ（Ｒｅｍｏｔｅ  Ｒａｄｉｏ  Ｈｅａｄ）、送信ポイント、受信ポイント、アクセスポイントなどと呼ぶこともできる。
【発明の概要】
【発明が解決しようとする課題】
【０００４】
新しい無線通信技術の導入に伴って、基地局が所定のリソース領域でサービスを提供すべき端末の個数が増加しているだけでなく、基地局がサービスを提供する端末と送信／受信するデータ及び制御情報の量も増加している。基地局が端末との通信に利用できる無線リソースの量は有限であり、基地局が有限の無線リソースを用いて上り／下りリンクデータ及び／又は上り／下りリンク制御情報を端末と效率よく受信／送信するための新しい方案が要求されている。
【０００５】
本発明では、進展した上りリンク送信動作を支援できる上りリンク参照信号を送信する新しい方案を提供し、上りリンク信号の受信側で上りリンク参照信号を正しく受信できる方案を提供することを技術的課題とする。
【０００６】
本発明で達成しようとする技術的課題は、以上で言及した技術的課題に制限されず、言及していない他の技術的課題は、以降の記載から、本発明の属する技術の分野における通常の知識を有する者には明確に理解されるであろう。
【課題を解決するための手段】
【０００７】
上記の技術的課題を解決するために、本発明の一実施例に係る  無線通信システムの端末で上りリンク信号を送信する方法は、物理上りリンク共有チャネル（ＰＵＳＣＨ）の復調のための参照信号に対するパラメータ（
【０００８】
【化１】
0005941561.tif 000002
【０００９】
）が提供される場合、前記
【００１０】
【化２】
0005941561.tif 000003
【００１１】
に基づいて前記参照信号のシーケンスを生成することと、前記生成された参照信号を基地局に送信することと、を含むことができる。ここで、前記
【００１２】
【化３】
0005941561.tif 000004
【００１３】
が提供される場合に、前記参照信号の循環シフトホッピングの決定に用いられる擬似−任意シーケンス生成器は、それぞれの無線フレームの開始時に、式
【００１４】
【化４】
0005941561.tif 000005
【００１５】
によって初期化されてもよく、
【００１６】
【化５】
0005941561.tif 000006
【００１７】
は、擬似−任意シーケンスの初期値であり、ｍｏｄは、モジューロ演算を意味する。
【００１８】
上記の技術的課題を解決するために、本発明の他の実施例に係る上りリンク信号を送信する端末装置は、受信器と、送信器と、プロセッサと、を備え、前記プロセッサは、物理上りリンク共有チャネル（ＰＵＳＣＨ）の復調のための参照信号に対する仮想セルＩＤ（
【００１９】
【化６】
0005941561.tif 000007
【００２０】
）が提供される場合、前記
【００２１】
【化７】
0005941561.tif 000008
【００２２】
に基づいて前記参照信号のシーケンスを生成し；生成された前記参照信号を基地局に前記送信器を用いて送信するように構成されることを特徴とする。前記
【００２３】
【化８】
0005941561.tif 000009
【００２４】
が提供される場合に、前記参照信号の循環シフトホッピングの決定に用いられる擬似−任意シーケンス生成器は、それぞれの無線フレームの開始時に、式
【００２５】
【化９】
0005941561.tif 000010
【００２６】
によって初期化されてもよく、
【００２７】
【化１０】
0005941561.tif 000011
【００２８】
は、擬似−任意シーケンスの初期値であり、ｍｏｄは、モジューロ演算を意味する。
【００２９】
上記本発明に係る実施例らにおいて、以下の事項を共通に適用することができる。
【００３０】
前記端末に対して前記
【００３１】
【化１１】
0005941561.tif 000012
【００３２】
に追加的なパラメータとして、前記参照信号に対する仮想セルＩＤ（
【００３３】
【化１２】
0005941561.tif 000013
【００３４】
）が提供されてもよい。
【００３５】
前記
【００３６】
【化１３】
0005941561.tif 000014
【００３７】
は、前記参照信号に対する循環シフトホッピングに用いられ、前記
【００３８】
【化１４】
0005941561.tif 000015
【００３９】
は、前記参照信号に対するグループホッピングパターン、シーケンスシフトパターン、又はシーケンスホッピングパターンのうち一つ以上に対して用いられてもよい。
【００４０】
前記
【００４１】
【化１５】
0005941561.tif 000016
【００４２】
が提供され、前記参照信号に対するシーケンスグループホッピングが可能化される場合、グループホッピングパターンの決定に用いられる擬似−任意シーケンス生成器は、それぞれの無線フレームの開始時に、式
【００４３】
【化１６】
0005941561.tif 000017
【００４４】
によって初期化されてもよい。
【００４５】
前記
【００４６】
【化１７】
0005941561.tif 000018
【００４７】
が提供される場合、前記参照信号のシーケンスシフトパターンである
【００４８】
【化１８】
0005941561.tif 000019
【００４９】
は、式
【００５０】
【化１９】
0005941561.tif 000020
【００５１】
によって決定されてもよい。
【００５２】
前記
【００５３】
【化２０】
0005941561.tif 000021
【００５４】
が提供され、前記参照信号に対するシーケンスグループホッピングが不能化され、シーケンスホッピングが可能化される場合、基本シーケンス番号ｖの決定に用いられる擬似−任意シーケンス生成器は、それぞれの無線フレームの開始時に、式
【００５５】
【化２１】
0005941561.tif 000022
【００５６】
によって初期化されてもよい。
【００５７】
前記
【００５８】
【化２２】
0005941561.tif 000023
【００５９】
に対する値が提供されない場合、前記
【００６０】
【化２３】
0005941561.tif 000024
【００６１】
は、式
【００６２】
【化２４】
0005941561.tif 000025
【００６３】
によって決定されてもよく、
【００６４】
【化２５】
0005941561.tif 000026
【００６５】
は、物理層セルＩＤである。
【００６６】
前記
【００６７】
【化２６】
0005941561.tif 000027
【００６８】
に対する値が提供されない場合、前記参照信号のシーケンスシフトパターンである
【００６９】
【化２７】
0005941561.tif 000028
【００７０】
は、式
【００７１】
【化２８】
0005941561.tif 000029
【００７２】
によって決定されてもよく、
【００７３】
【化２９】
0005941561.tif 000030
【００７４】
は上位層によって設定され、
【００７５】
【化３０】
0005941561.tif 000031
【００７６】
である。
【００７７】
前記
【００７８】
【化３１】
0005941561.tif 000032
【００７９】
に対する値が提供されず、前記参照信号に対するシーケンスグループホッピングが不能化され、シーケンスホッピングが可能化される場合、基本シーケンス番号ｖの決定に用いられる擬似−任意シーケンス生成器は、それぞれの無線フレームの開始時に、式
【００８０】
【化３２】
0005941561.tif 000033
【００８１】
によって初期化されてもよい。
【００８２】
前記
【００８３】
【化３３】
0005941561.tif 000034
【００８４】
及び
【００８５】
【化３４】
0005941561.tif 000035
【００８６】
は、上位層によって提供されてもよい。
【００８７】
前記
【００８８】
【化３５】
0005941561.tif 000036
【００８９】
は、０乃至５０９の中で一つの値に設定されてもよい。
【００９０】
前記
【００９１】
【化３６】
0005941561.tif 000037
【００９２】
に対する値が提供されない場合に、前記参照信号の循環シフトホッピングの決定に用いられる擬似−任意シーケンス生成器は、それぞれの無線フレームの開始時に、式
【００９３】
【化３７】
0005941561.tif 000038
【００９４】
によって初期化されてもよく、
【００９５】
【化３８】
0005941561.tif 000039
【００９６】
は、物理層セルＩＤであり、
【００９７】
【化３９】
0005941561.tif 000040
【００９８】
は、上位層によって設定され、
【００９９】
【化４０】
0005941561.tif 000041
【０１００】
であってもよい。
【０１０１】
前記
【０１０２】
【化４１】
0005941561.tif 000042
【０１０３】
は、０乃至５０９の中で一つの値に設定されてもよい。
【０１０４】
前記参照信号は、前記ＰＵＳＣＨが送信されるスロットにおいて、一つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボル上で送信されてもよい。
【０１０５】
本発明について前述した一般的な説明及び後述する詳細な説明は、例示的なもので、請求項記載の発明に関するさらなる説明のためのものである。
【発明の効果】
【０１０６】
本発明によれば、進展した上りリンク送信動作を支援できる上りリンク参照信号を送信する新しい方案を提供することができ、また、上りリンク信号の受信側で上りリンク参照信号を正しく受信できる方案を提供することができる。
本発明で得られる効果は、以上に言及した効果に制限されず、言及していない別の効果は、以降の記載から、本発明の属する技術の分野における通常の知識を有する者には明確に理解されるであろう。
【図面の簡単な説明】
【０１０７】
本明細書に添付する図面は、本発明に関する理解を提供するためのもので、本発明の様々な実施形態を示し、明細書の記載と共に本発明の原理を説明するためのものである。
【図１】図１は、無線フレームの構造を説明するための図である。
【図２】図２は、リソースグリッド（ｒｅｓｏｕｒｃｅ  ｇｒｉｄ）を示す図である。
【図３】図３は、下りリンクサブフレームの構造を示す図である。
【図４】図４は、上りリンクサブフレームの構造を示す図である。
【図５】図５は、下りリンク参照信号を説明するための図である。
【図６】図６乃至図１０は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１系列、ＰＵＣＣＨフォーマット２系列及びＰＵＣＣＨフォーマット３系列を用いたＵＣＩ送信を例示する図である。
【図７】図６乃至図１０は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１系列、ＰＵＣＣＨフォーマット２系列及びＰＵＣＣＨフォーマット３系列を用いたＵＣＩ送信を例示する図である。
【図８】図６乃至図１０は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１系列、ＰＵＣＣＨフォーマット２系列及びＰＵＣＣＨフォーマット３系列を用いたＵＣＩ送信を例示する図である。
【図９】図６乃至図１０は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１系列、ＰＵＣＣＨフォーマット２系列及びＰＵＣＣＨフォーマット３系列を用いたＵＣＩ送信を例示する図である。
【図１０】図６乃至図１０は、ＰＵＣＣＨ（Ｐｈｙｓｉｃａｌ  Ｕｐｌｉｎｋ  Ｃｏｎｔｒｏｌ  Ｃｈａｎｎｅｌ）フォーマット１系列、ＰＵＣＣＨフォーマット２系列及びＰＵＣＣＨフォーマット３系列を用いたＵＣＩ送信を例示する図である。
【図１１】図１１は、ＰＵＳＣＨ（Ｐｈｙｓｉｃａｌ  Ｕｐｌｉｎｋ  Ｓｈａｒｅｄ  Ｃｈａｎｎｅｌ）領域上での上りリンク制御情報及び上りリンクデータの多重化を例示する図である。
【図１２】図１２は、ＵＬ  ＣｏＭＰ動作の一例を説明するための図である。
【図１３】図１３は、本発明に係る上りリンク参照信号送信方法を説明するためのフローチャートである。
【図１４】図１４は、本発明に係る基地局装置及び端末装置の好適な実施例の構成を示す図である。
【発明を実施するための形態】
【０１０８】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【０１０９】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【０１１０】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【０１１１】
以下の説明で使われる特定用語は、本発明の理解を助けるために提供されるものであり、このような特定用語の使用は、本発明の技術的思想から逸脱しない範囲で他の形態に変更してもよい。
【０１１２】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素には同一の図面符号を付して説明する。
【０１１３】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【０１１４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ  ＬＴＥ及び３ＧＰＰ  ＬＴＥ−Ａシステムを中心に説明するが、本発明の技術的思想がこれに制限されることはない。
【０１１５】
図１を参照して３ＧＰＰ  ＬＴＥシステムの無線フレーム構造について説明する。
【０１１６】
セルラーＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）無線パケット通信システムにおいて、上り／下りリンクデータパケット送信はサブフレーム（ｓｕｂｆｒａｍｅ）単位で行われ、１サブフレームは複数のＯＦＤＭシンボルを含む一定時間区間で定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【０１１７】
図１（ａ）は、タイプ１の無線フレーム構造を示す図である。１個の無線フレーム（ｒａｄｉｏｆｒａｍｅ）は１０個のサブフレーム（ｓｕｂｆｒａｍｅ）で構成され、１個のサブフレームは時間領域（ｔｉｍｅ  ｄｏｍａｉｎ）において２個のスロット（ｓｌｏｔ）で構成される。１サブフレームを送信するために掛かる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは下りリンクにおいてＯＦＤＭＡを用いるため、ＯＦＤＭシンボルが１つのシンボル区間を表す。ＯＦＤＭシンボルはまた、ＳＣ−ＦＤＭＡシンボル又はシンボル区間と呼ばれることもある。リソースブロック（Ｒｅｓｏｕｒｃｅ  Ｂｌｏｃｋ；ＲＢ）はリソース割当単位であり、１スロットにおいて複数個の連続した副搬送波（ｓｕｂｃａｒｒｉｅｒ）を含むことができる。
【０１１８】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増えるため、１スロットに含まれるＯＦＤＭシンボルの数は正規ＣＰの場合に比べて少ない。拡張ＣＰの場合に、例えば、１スロットに含まれるＯＦＤＭシンボルの数は６個であってよい。端末が高速で移動するなどの場合のようにチャネル状態が安定していない場合、シンボル間干渉をより減らすために拡張ＣＰを用いらればよい。
【０１１９】
図１（ｂ）は、タイプ２の無線フレーム構造を示す図である。タイプ２の無線フレームは、２個のハーフフレーム（ｈａｌｆ  ｆｒａｍｅ）で構成され、各ハーフフレームは、５個のサブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）で構成され、１個のサブフレームは２個のスロットで構成される。ＤｗＰＴＳは、端末での初期セル探索、同期化又はチャネル推定のために用いられる。ＵｐＰＴＳは、基地局でチャネル推定及び端末と上り送信同期を取るために用いられる。保護区間は、上りリンクと下りリンクとの間に下りリンク信号の多重経路遅延によって上りリンクで生じる干渉を除去するための区間である。一方、無線フレームのタイプによらず、１個のサブフレームは２個のスロットで構成される。
【０１２０】
無線フレームの構造は例示に過ぎず、無線フレームに含まれるサブフレームの数、サブフレームに含まれるスロットの数、又はスロットに含まれるシンボルの数は様々に変更されてもよい。
【０１２１】
図２は、下りリンクスロットでのリソースグリッド（ｒｅｓｏｕｒｃｅ  ｇｒｉｄ）を示す図である。同図では、１個の下りリンクスロットが時間領域において７個のＯＦＤＭシンボルを含み、１個のリソースブロック（ＲＢ）が周波数領域において１２個の副搬送波を含むとしているが、本発明はこれに制限されない。例えば、正規ＣＰでは１スロットが７  ＯＦＤＭシンボルを含むが、拡張ＣＰでは１スロットが６  ＯＦＤＭシンボルを含むことができる。リソースグリッド上のそれぞれの要素をリソース要素（ｒｅｓｏｕｒｃｅ  ｅｌｅｍｅｎｔ）という。１リソースブロックは１２×７リソース要素を含んでいる。下りリンクスロットに含まれるリソースブロックのＮＤＬの個数は下りリンク送信帯域幅による。上りリンクスロットの構造は下りリンクスロットの構造と同一であってよい。
【０１２２】
下りリンクサブフレーム構造
図３は、下りリンクサブフレームの構造を示す図である。一つのサブフレームにおいて第１のスロットの先頭部における最大３個のＯＦＤＭシンボルは、制御チャネルが割り当てられる制御領域に該当する。残りのＯＦＤＭシンボルは、物理下りリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムにおいて用いられる下りリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ  ＡＣＫ／ＮＡＣＫ信号を含む。ＰＤＣＣＨを介して送信される制御情報を下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクのスケジューリング情報を含んだり、任意の端末グループに対する上りリンク送信電力制御命令を含む。ＰＤＣＣＨは、下りリンク共有チャネル（ＤＬ−ＳＣＨ）のリソース割当及び送信フォーマット、上りリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは、一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレートとの相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが���定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることもできる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることもできる。端末のランダムアクセスプリアンブルの送信に対する応答であるランダムアクセス応答を表すために、ランダムアクセス−ＲＮＴＩ（ＲＡ−ＲＮＴＩ）をＣＲＣにマスクすることもできる。
【０１２３】
下りリンク参照信号
無線通信システムにおいてパケットを送信する時、送信されるパケットは無線チャネルを介して送信されるため、送信過程で信号の歪みが発生することがある。歪まれた信号を受信側で正しく受信するためには、チャネル情報を用いて受信信号から歪みを補正しなければならない。チャネル情報を知るには、送信側と受信側の両方で知っている信号を送信し、該信号がチャネルを介して受信される時の歪みの度合からチャネル情報を把握る方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【０１２４】
多重アンテナを用いてデータを送受信する場合には、各送信アンテナと受信アンテナ間のチャネル状況を知ってこそ正しい信号が受信できる。そのため、各送信アンテナ別にそれぞれの参照信号が存在しなければならない。
【０１２５】
下りリンク参照信号は、セル内の全ての端末が共有する共用参照信号（Ｃｏｍｍｏｎ  Ｒｅｆｅｒｅｎｃｅ  Ｓｉｇｎａｌ；ＣＲＳ）と特定端末のみのための専用参照信号（Ｄｅｄｉｃａｔｅｄ  Ｒｅｆｅｒｅｎｃｅ  Ｓｉｇｎａｌ；ＤＲＳ）がある。このような参照信号によってチャネル推定及び復調のための情報を提供することができる。ＣＲＳは、物理アンテナ端のチャネルを推定するために用いられ、セル内における全ての端末（ＵＥ）が共通に受信し得る参照信号で、全帯域にわたって分布する。チャネル状態情報（ＣＳＩ）獲得及びデータ復調の目的でＣＲＳを用いることができる。
【０１２６】
受信側（端末）は、ＣＲＳからチャネルの状態を推定して、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質に関する指示子を送信側（基地局）にフィードバックすることができる。ＣＲＳをセル−特定（ｃｅｌｌ−ｓｐｅｃｉｆｉｃ）参照信号と呼ぶこともできる。
【０１２７】
一方、ＤＲＳは、ＰＤＳＣＨ上のデータの復調が必要な場合に、該当のＲＥを通じて送信されてもよい。端末には上位層からＤＲＳの存在有無が指示され、該当のＰＤＳＣＨがマップされた場合にのみ、ＤＲＳが有効である旨が指示されればよい。ＤＲＳを端末−特定（ＵＥ−ｓｐｅｃｉｆｉｃ）参照信号又は復調用参照信号（Ｄｅｍｏｄｕｌａｔｉｏｎ  Ｒｅｆｅｒｅｎｃｅ  Ｓｉｇｎａｌ；ＤＭＲＳ）と呼ぶこともできる。ＤＲＳ（又は端末−特定参照信号）はデータ復調のために用いられる参照信号で、多重アンテナ送信をする時、特定端末に用いられるプリコーディング重み付け値を参照信号にもそのまま用いることによって、端末が参照信号を受信した時に、各送信アンテナから送信されるプリコーディング重み付け値及び送信チャネルが結合された均等チャネル（Ｅｑｕｉｖａｌｅｎｔ  ｃｈａｎｎｅｌ）を推定できるようにする。
【０１２８】
図４は、既存の３ＧＰＰ  ＬＴＥシステム（例えば、リリース−８）で定義するＣＲＳ及びＤＲＳが下りリンクリソースブロック対（ＲＢ  ｐａｉｒ）上にマップされるパターンを示す図である。参照信号のマップされる単位としての下りリンクリソースブロック対は、時間上で１サブフレーム×周波数上で１２副搬送波の単位で表現できる。すなわち、１リソースブロック対は、時間上において、正規ＣＰの場合には１４個のＯＦＤＭシンボル長、拡張ＣＰの場合には１２個のＯＦＤＭシンボル長を有する。図４は、正規ＣＰの場合にリソースブロック対を示している。
【０１２９】
図４は、基地局が４個の送信アンテナを支援するシステムにおいて参照信号のリソースブロック対上での位置を示している。図４で、‘Ｒ０’、‘Ｒ１’、‘Ｒ２’及び‘Ｒ３’で表示されたリソース要素（ＲＥ）は、それぞれ、アンテナポートインデックス０、１、２及び３に対するＣＲＳの位置を表す。一方、図４で、‘Ｄ’で表示されたリソース要素はＤＲＳの位置を表す。
【０１３０】
一方、３ＧＰＰ  ＬＴＥの進展であるＬＴＥ−Ａ（Ａｄｖａｎｃｅｄ）システムでは、高い次数（ｏｒｄｅｒ）のＭＩＭＯ（Ｍｕｌｔｉｐｌｅ  Ｉｎｐｕｔ  Ｍｕｌｔｉｐｌｅ  Ｏｕｔｐｕｔ）、多重−セル送信、進展した多重ユーザ（ＭＵ）−ＭＩＭＯなどが考慮されており、よって、効率的な参照信号の運用と進展した送信方式を支援するためにＤＲＳベースのデータ復調を考慮している。すなわち、既存の３ＧＰＰ  ＬＴＥ（例えば、リリース−８）で定義するランク１ビームフォーミングのためのＤＲＳ（アンテナポートインデックス５）とは別に、追加されたアンテナを通じたデータ送信を支援するために２以上のレイヤに対するＤＲＳ（又は、端末−特定参照信号又はＤＭＲＳ）を定義することができる。例えば、最大８送信アンテナポートを支援する端末−特定参照信号ポートは、アンテナポート番号７乃至１２と定義され、他の参照信号と重複しないＲＥ位置で送信されてもよい。
【０１３１】
また、ＬＴＥ−Ａシステムでは、新しいアンテナポートのためのＣＱＩ／ＰＭＩ／ＲＩのようなチャネル状態情報（Ｃｈａｎｎｅｌ  Ｓｔａｔｅ  Ｉｎｆｏｒｍａｔｉｏｎ；ＣＳＩ）のフィードバックに関するＲＳを別途にＣＳＩ−ＲＳと定義することもできる。例えば、最大８送信アンテナポートを支援するＣＳＩ−ＲＳポートは、アンテナポート番号１５乃至２２と定義され、他の参照信号と重複しないＲＥ位置で送信されてもよい。
【０１３２】
上りリンクサブフレーム構造
図５は、上りリンクサブフレームの構造を示す図である。
【０１３３】
図５を参照すると、上りリンク（ＵＬ）サブフレームは、周波数ドメインで制御領域とデータ領域とに区別されている。一つ又は複数のＰＵＣＣＨ（ｐｈｙｓｉｃａｌ  ｕｐｌｉｎｋ  ｃｏｎｔｒｏｌ  ｃｈａｎｎｅｌ）が上りリンク制御情報（ｕｐｌｉｎｋ  ｃｏｎｔｒｏｌ  ｉｎｆｏｒｍａｔｉｏｎ、ＵＣＩ）を運ぶために、上記制御領域に割り当てられてもよい。一つ又は複数のＰＵＳＣＨ（ｐｈｙｓｉｃａｌ  ｕｐｌｉｎｋ  ｓｈａｒｅｄ  ｃｈａｎｎｅｌ）がユーザデータを運ぶために、ＵＬサブフレームのデータ領域に割り当てられてもよい。
【０１３４】
ＵＬサブフレームではＤＣ（Ｄｉｒｅｃｔ  Ｃｕｒｒｅｎｔ）副搬送波から遠く離れた副搬送波が制御領域として活用される。言い換えると、ＵＬ送信帯域幅の両端部に位置する副搬送波が上りリンク制御情報の送信に割り当てられる。ＤＣ副搬送波は、信号送信に用いられずに残される成分で、周波数アップ変換過程で搬送波周波数ｆ０にマップされる。一つのＵＥに対するＰＵＣＣＨは一つのサブフレームにおいて、一つの搬送波周波数で動作するリソースに属したＲＢ対に割り当てられ、該ＲＢ対に属したＲＢは２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【０１３５】
ＰＵＣＣＨは、次の制御情報を送信するために用いることができる。
【０１３６】
−ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【０１３７】
−ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【０１３８】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【０１３９】
ＵＥがサブフレームで送信できる上りリンク制御情報（ＵＣＩ）の量は、制御情報送信に可用なＳＣ−ＦＤＭＡの個数に依存する。ＵＣＩに可用なＳＣ−ＦＤＭＡは、サブフレームで参照信号送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されたサブフレームでは、サブフレームの末尾のＳＣ−ＦＤＭＡシンボルも除外される。参照信号はＰＵＣＣＨのコヒーレント（ｃｏｈｅｒｅｎｔ）検出に用いられる。ＰＵＣＣＨは、送信される情報に応じて様々なフォーマットを支援する。
【０１４０】
簡略に説明すると、ＰＵＣＣＨフォーマット１は、スケジューリング要請（ＳＲ）の送信に用いられ、ＰＵＣＣＨフォーマット１ａ／１ｂは、ＡＣＫ／ＮＡＣＫ情報を送信するために用いられ、ＰＵＣＣＨフォーマット２は、ＣＱＩ／ＰＭＩ／ＲＩなどのチャネル状態情報（ｃｈａｎｎｅｌ  ｓｔａｔｅ  ｉｎｆｏｒｍａｔｉｏｎ、ＣＳＩ）を運ぶために用いられ、ＰＵＣＣＨフォーマット２ａ／２ｂは、ＣＳＩと共にＡＣＫ／ＮＡＣＫ情報を運ぶために用いられ、ＰＵＣＣＨフォーマット３系列は主にＡＣＫ／ＮＡＣＫ情報を送信するために用いられる。
【０１４１】
ＵＣＩ送信
図６乃至図１０は、ＰＵＣＣＨフォーマット１系列、ＰＵＣＣＨフォーマット２系列及びＰＵＣＣＨフォーマット３系列を用いたＵＣＩ送信を例示する図である。
【０１４２】
３ＧＰＰ  ＬＴＥ／ＬＴＥ−Ａシステムにおいて正規ＣＰを有する一つのサブフレームは、２個のスロットで構成され、それぞれのスロットは、７個のＯＦＤＭシンボル（又は、ＳＣ−ＦＤＭＡシンボル）を含む。拡張ＣＰを有するサブフレームは、２個のスロットで構成され、それぞれのスロットは６個のＯＦＤＭシンボル（又は、ＳＣ−ＦＤＭＡシンボル）を含む。ＣＰ長によってサブフレーム別ＯＦＤＭシンボル（又は、ＳＣ−ＦＤＭＡシンボル）の個数が異なるため、ＣＰ長によってＵＬサブフレームでＰＵＣＣＨが送信される構造も異なってくる。したがって、ＰＵＣＣＨフォーマットとＣＰ長によって、ＵＥがＵＬサブフレームでＵＣＩを送信する方法も異なってくる。
【０１４３】
図６及び図７を参照すると、ＰＵＣＣＨフォーマット１ａ及び１ｂを用いて送信される制御情報は、同一内容の制御情報がサブフレーム内でスロット単位で反復される。各ＵＥでＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる循環シフト（Ｃｙｃｌｉｃ  Ｓｈｉｆｔ；ＣＳ）と直交カバーコード（Ｏｒｔｈｏｇｏｎａｌ  Ｃｏｖｅｒ  Ｃｏｄｅ；ＯＣＣ）で構成された互いに異なるリソースを通じて送信される。ＣＳは周波数ドメインコードに該当し、ＯＣＣは時間ドメイン拡散コードに該当し得る。直交カバーコードは直交シーケンスということもできる。ＯＣＣは、例えば、ウォルシュ（Ｗａｌｓｈ）／ＤＦＴ（Ｄｉｓｃｒｅｔｅ  Ｆｏｕｒｉｅｒ  Ｔｒａｎｓｆｏｒｍ）直交コードを含む。ＣＳの個数が６個、ＯＣＣの個数が３個であれば、単一アンテナポートを基準に総１８個のＰＵＣＣＨを同一ＰＲＢ（Ｐｈｙｓｉｃａｌ  Ｒｅｓｏｕｒｃｅ  Ｂｌｏｃｋ）内で多重化できる。直交シーケンスｗ０、ｗ１、ｗ２、ｗ３は、ＦＦＴ（Ｆａｓｔ  Ｆｏｕｒｉｅｒ  Ｔｒａｎｓｆｏｒｍ）変調後に任意の時間ドメインで適用されてもよく、又はＦＦＴ変調前に任意の周波数ドメインで適用されてもよい。３ＧＰＰ  ＬＴＥ／ＬＴＥ−ＡシステムにおいてＡＣＫ／ＮＡＣＫ送信のためのＰＵＣＣＨリソースは、時間−周波数リソース（例えば、ＰＲＢ）の位置、周波数拡散のためのシーケンスの循環シフト（ｃｙｃｌｉｃ  ｓｈｉｆｔ）及び時間拡散のための直交コード（又は、準−直交コード）の組合せで表現され、各ＰＵＣＣＨリソースはＰＵＣＣＨリソースインデックス（ＰＵＣＣＨインデックスともいう）を用いて指示される。ＳＲ（Ｓｃｈｅｄｕｌｉｎｇ  Ｒｅｑｕｅｓｔ）送信のためのＰＵＣＣＨフォーマット１系列のスロットレベル構造は、ＰＵＣＣＨフォーマット１ａ及び１ｂと同一であり、その変調方法だけが異なる。
【０１４４】
図８は、正規ＣＰを有するＵＬスロットにおいてＰＵＣＣＨフォーマット２／２ａ／２ｂを用いてチャネル状態情報（ｃｈａｎｎｅｌ  ｓｔａｔｅ  ｉｎｆｏｒｍａｔｉｏｎ、ＣＳＩ）を送信する例を示す。図９は、拡張ＣＰを有するＵＬスロットにおいてＰＵＣＣＨフォーマット２／２ａ／２ｂを用いてチャネル状態情報を送信する例を示す。
【０１４５】
図８及び図９を参照すると、正規ＣＰの場合、一つのＵＬサブフレームは、ＵＬ参照信号（ＲＳ）を運ぶシンボルを除いて１０個のＳＣ−ＦＤＭＡシンボルで構成される。チャネル状態情報はブロックコーディングを通じて１０個の送信シンボル（複素変調シンボル（ｃｏｍｐｌｅｘ−ｖａｌｕｅｄ  ｍｏｄｕｌａｔｉｏｎ  ｓｙｍｂｏｌ）という）に符号化（ｃｏｄｉｎｇ）される。この１０個の送信シンボルはそれぞれ上記１０個のＳＣ−ＦＤＭＡシンボルにマップされてｅＮＢに送信される。
【０１４６】
ＰＵＣＣＨフォーマット１／１ａ／１ｂ及びＰＵＣＣＨフォーマット２／２ａ／２ｂは一定ビット数までしかＵＣＩを運ぶことができない。しかし、搬送波集約（Ｃａｒｒｉｅｒ  Ａｇｇｒｅｇａｔｉｏｎ）、アンテナ個数の増加、ＴＤＤシステム、中継機（Ｒｅｐｌａｙ）システム、多重ノードシステムの導入からＵＣＩの量が増えることに伴って、ＰＵＣＣＨフォーマット１／１ａ／１ｂ／２／２ａ／２ｂに比べてより多量のＵＣＩを運ぶことができるＰＵＣＣＨフォーマットが導入された。これをＰＵＣＣＨフォーマット３という。例えば、ＰＵＣＣＨフォーマット３は、搬送波集約が設定されているＵＥが複数の下りリンク搬送波を通じてｅＮＢから受信した複数のＰＤＳＣＨに対する複数のＡＣＫ／ＮＡＣＫを特定上りリンク搬送波を通じて送信するときに用いることができる。
【０１４７】
ＰＵＣＣＨフォーマット３は、例えば、ブロック−拡散に基づいて構成することができる。図１０を参照すると、ブロック−拡散技法は、シンボルシーケンスをＯＣＣ（又は、直交シーケンス）によって時間−ドメイン拡散して送信する。ブロック−拡散技法によれば、ＯＣＣによって複数ＵＥの制御信号を同一ＲＢに多重化してｅＮＢに送信することができる。ＰＵＣＣＨフォーマット２の場合、一つのシンボルシーケンスが時間−ドメインにわたって送信されるが、ＵＥのＵＣＩがＣＡＺＡＣシーケンスの循環シフト（ＣＣＳ）を用いて多重化されてｅＮＢに送信される。これに対し、ブロック−拡散ベースの新しいＰＵＣＣＨフォーマット（例えば、ＰＵＣＣＨフォーマット３）では、一つのシンボルシーケンスが周波数−ドメインにわたって送信されるが、ＵＥのＵＣＩがＯＣＣベースの時間−ドメイン拡散を用いて多重化されてｅＮＢに送信される。例えば、図８を参照すると、一つのシンボルシーケンスが長さ−５（すなわち、ＳＦ＝５）のＯＣＣによって拡散されて５個のＳＣ−ＦＤＭＡシンボルにマップされる。図１０では、１個のスロットにおいて総２個のＲＳシンボルが用いられる場合が例示されているが、３個のＲＳシンボルが用いられ、ＳＦ＝４のＯＣＣがシンボルシーケンスの拡散及びＵＥ多重化に用いられてもよい。ここで、ＲＳシンボルは、特定循環シフトを有するＣＡＺＡＣシーケンスから生成され、時間ドメインで複数のＲＳシンボルに特定ＯＣＣが適用された／掛けられた形態でＵＥからｅＮＢに送信されてもよい。図１０で、ＤＦＴはＯＣＣ前にあらかじめ適用されてもよく、ＤＦＴに代えてＦＦＴ（Ｆａｓｔ  Ｆｏｕｒｉｅｒ  Ｔｒａｎｓｆｏｒｍ）が適用されてもよい。
【０１４８】
図６乃至図１０でＰＵＣＣＨ上のＵＣＩと共に送信されるＵＬ  ＲＳはｅＮＢで当該ＵＣＩの復調に用いることができる。
【０１４９】
図１１は、ＰＵＳＣＨ領域上での上りリンク制御情報及び上りリンクデータの多重化を例示する図である。
【０１５０】
上りリンクデータは、ＵＬサブフレームのデータ領域内でＰＵＳＣＨを通じて送信することができる。該上りリンクデータの復調のための参照信号（ｒｅｆｅｒｅｎｃｅ  ｓｉｇｎａｌ、ＲＳ）であるＵＬ  ＤＭＲＳ（ＤｅＭｏｄｕｌａｔｉｏｎ  Ｒｅｆｅｒｅｎｃｅ  Ｓｉｇｎａｌ）は、上りリンクデータと共にＵＬサブフレームのデータ領域で送信することができる。以下、ＵＬサブフレーム内の制御領域及びデータ領域をそれぞれ、ＰＵＣＣＨ領域及びＰＵＳＣＨ領域と称する。
【０１５１】
ＰＵＳＣＨ送信が割り当てられたサブフレームで上りリンク制御情報が送信されなければならない場合、ＰＵＳＣＨとＰＵＣＣＨの同時送信が許容されない限り、ＵＥは、ＤＦＴ−拡散以前に上りリンク制御情報（ＵＣＩ）と上りリンクデータ（以下、ＰＵＳＣＨデータ）を共に多重化して、多重化されたＵＬ信号をＰＵＳＣＨ上で送信する。ＵＣＩはＣＱＩ／ＰＭＩ、ＨＡＲＱ  ＡＣＫ／ＮＡＣＫ及びＲＩの少なくとも一つを含む。ＣＱＩ／ＰＭＩ、ＡＣＫ／ＮＡＣＫ及びＲＩ送信に用いられるそれぞれのＲＥ個数は、ＰＵＳＣＨ送信のために割り当てられたＭＣＳ（Ｍｏｄｕｌａｔｉｏｎ  ａｎｄ  Ｃｏｄｉｎｇ  Ｓｃｈｅｍｅ）及びオフセット値（△ｏｆｆｓｅｔＣＱＩ、△ｏｆｆｓｅｔＨＡＲＱ−ＡＣＫ、△ｏｆｆｓｅｔＲＩ）に基づく。オフセット値はＵＣＩによって互いに異なるコーディングレートを許容し、上位層（例、無線リソース制御（ｒａｄｉｏ  ｒｅｓｏｕｒｃｅ  ｃｏｎｔｒｏｌ、ＲＲＣ））シグナルによって半−静的（ｓｅｍｉ−ｓｔａｔｉｃ）に設定される。ＰＵＳＣＨデータとＵＣＩは同一のＲＥにマップされない。ＵＣＩはサブフレームの２つのスロットの両方に存在するようにマップされる。
【０１５２】
図１１を参照すると、ＣＱＩ及び／又はＰＭＩ（ＣＱＩ／ＰＭＩ）リソースは、ＰＵＳＣＨデータリソースの開始部分に位置し、一つの副搬送波上で全てのＳＣ−ＦＤＭＡシンボルに順次にマップされた後に、次の副搬送波でマッピングがなされる。ＣＱＩ／ＰＭＩは副搬送波内で左から右へ、すなわち、ＳＣ−ＦＤＭＡシンボルインデックスが増加する方向にマップされる。ＰＵＳＣＨデータはＣＱＩ／ＰＭＩリソースの量（すなわち、符号化されたシンボルの個数）を考慮してレート−マッチングされる。ＵＬ−ＳＣＨデータと同じ変調次数（ｍｏｄｕｌａｔｉｏｎ  ｏｒｄｅｒ）がＣＱＩ／ＰＭＩに用いられる。ＡＣＫ／ＮＡＣＫは、ＵＬ−ＳＣＨデータがマップされたＳＣ−ＦＤＭＡのリソースの一部にパンクチャリングを通じて挿入される。ＡＣＫ／ＮＡＣＫは、ＰＵＳＣＨデータの復調のためのＲＳであるＰＵＳＣＨ  ＲＳの隣に位置し、当該ＳＣ−ＦＤＭＡシンボル内で下から上へ、すなわち、副搬送波インデックスが増加する方向に埋められる。正規ＣＰの場合、同図のように、ＡＣＫ／ＮＡＣＫのためのＳＣ−ＦＤＭＡシンボルは各スロットでＳＣ−ＦＤＭＡシンボル＃２／＃５に位置する。サブフレームでＡＣＫ／ＮＡＣＫを実際に送信するか否かによらず、符号化されたＲＩはＡＣＫ／ＮＡＣＫのためのシンボルの隣に位置する。
【０１５３】
３ＧＰＰ  ＬＴＥにおいてＵＣＩはＰＵＳＣＨデータ無しでＰＵＳＣＨ上で送信されるようにスケジューリングされてもよい。ＡＣＫ／ＮＡＣＫ、ＲＩ及びＣＱＩ／ＰＭＩを多重化することは、図１１におけると同様である。ＰＵＳＣＨデータのない制御シグナリングのためのチャネルコーディング及びレートマッチングは、上述したＰＵＳＣＨデータがある制御シグナリングの場合と同一である。
【０１５４】
図１１で、ＰＵＳＣＨ  ＲＳは、ＰＵＳＣＨ領域で送信されるＵＣＩ及び／又はＰＵＳＣＨデータの復調に用いることができる。本発明で、ＰＵＣＣＨ送信に関連したＵＬ  ＲＳ及びＰＵＳＣＨ送信に関連したＰＵＳＣＨ  ＲＳをＤＭＲＳと総称する。
【０１５５】
一方、図示してはいないが、ＰＵＳＣＨ領域にはサウンディング参照信号（Ｓｏｕｎｄｉｎｇ  Ｒｅｆｅｒｅｎｃｅ  Ｓｉｇｎａｌ；ＳＲＳ）が割り当てられてもよい。ＳＲＳは、ＰＵＳＣＨ或いはＰＵＣＣＨの送信に関連していないＵＬ参照信号であり、時間ドメインではＵＬサブフレームの末尾に位置するＳＣ−ＦＤＭＡシンボル、周波数ドメインではＵＬサブフレームのデータ送信帯域、すなわち、ＰＵＳＣＨ領域上で送信される。ｅＮＢは、自身とＵＥ間の上りリンクチャネル状態をＳＲＳを用いて測定することができる。同一サブフレームの末尾のＳＣ−ＦＤＭＡシンボルで送信／受信される複数ＵＥのＳＲＳは周波数位置／シーケンスによって区別可能である。
【０１５６】
上りリンク参照信号
ＰＵＣＣＨ領域で送信されるＤＭＲＳ、ＰＵＳＣＨ領域で送信されるＤＭＲＳ、ＳＲＳは、特定ＵＥによってＵＥ−特定的に生成されてｅＮＢに送信されるため、上りリンクＵＥ−特定的ＲＳと見なすことができる。
【０１５７】
上りリンクＲＳは、所定の規則に従う基本シーケンスの循環シフトによって定義される。例えば、ＲＳシーケンスｒｕ，ｖ（α）（ｎ）は、次式によって基本シーケンスｒｕ，ｖ（ｎ）の循環シフトαによって定義される。
【０１５８】
【数１】
0005941561.tif 000043
【０１５９】
ここで、ＭｓｃＲＳはＲＳシーケンスの長さを表し、ＭｓｃＲＳ＝ｍ・ＮｓｃＲＢであり、１≦ｍ≦ＮＲＢｍａｘ，ＵＬである。ＮｓｃＲＢの整数倍で表現されるＮＲＢｍａｘ，ＵＬは、最大の上りリンク帯域幅の構成を意味する。また、ＮｓｃＲＢはリソースブロックのサイズであり、副搬送波の個数で表現される。複数のＲＳシーケンスが異なる循環シフト値（α）を通じて一つの基本シーケンスから定義され得る。ＤＭＲＳ及びＳＲＳのために複数の基本シーケンスが定義される。例えば、基本シーケンスはルート（ｒｏｏｔ）Ｚａｄｏｆｆ−Ｃｈｕシーケンスを用いて定義できる。基本シーケンスｒｕ，ｖ（ｎ）はグループに分けられる。各基本シーケンスグループは一つ以上の基本シーケンスを含む。例えば、各基本シーケンスグループは、各長さがＭｓｃＲＳ＝ｍ・ＮｓｃＲＢ（１≦ｍ≦５）である一つの基本シーケンス（ｖ＝０）及び各長さがＭｓｃＲＳ＝ｍ・ＮｓｃＲＢ（６≦ｍ≦ＮｓｃＲＢ）である２つの基本シーケンスを含むことができる。ｒｕ，ｖ（ｎ）で、ｕ∈｛０，１，…，２９｝はグループ番号（すなわち、グループインデックス）であり、ｖは、当該グループ内の基本シーケンス番号（すなわち、基本シーケンスインデックス）を表し、各基本シーケンスグループ番号及び当該グループ内の基本シーケンス番号は、時間によって変化してもよい。
【０１６０】
スロットｎｓでのシーケンスグループ番号ｕは、次式によって、グループホッピングパターンｆｇｈ（ｎｓ）及びシーケンスシフト（ｓｅｑｕｅｎｃｅ  ｓｈｉｆｔ）パターンｆｓｓによって定義される。
【０１６１】
【数２】
0005941561.tif 000044
【０１６２】
上記の式２で、ｍｏｄはモジューロ（ｍｏｄｕｌｏ）演算を意味し、Ａ  ｍｏｄ  ＢはＡをＢで割った余りを意味する。
【０１６３】
互いに異なる複数個（例えば、３０個）のホッピングパターン及び互いに異なる複数個（例えば、１７個）のシーケンスシフトパターンがある。シーケンスグループホッピングは、上位レイヤによって与えられるセル−特定的パラメータによって可能化（ｅｎａｂｌｅｄ）或いは不能化（ｄｉｓａｂｌｅｄ）することができる。
【０１６４】
グループホッピングパターンｆｇｈ（ｎｓ）はＰＵＳＣＨ及びＰＵＣＣＨに対して次式によって与えられる。
【０１６５】
【数３】
0005941561.tif 000045
【０１６６】
ここで、擬似−任意シーケンス（ｐｓｅｕｄｏ−ｒａｎｄｏｍ  ｓｅｑｕｅｎｃｅ）ｃ（ｉ）は、長さ−３１ゴールド（Ｇｏｌｄ）シーケンスによって定義できる。長さＭＰＮの出力シーケンスｃ（ｎ）（ここで、ｎ＝０，１，…，ＭＰＮ−１）は、次式によって定義される。
【０１６７】
【数４】
0005941561.tif 000046
【０１６８】
ここで、ＮＣ＝１６００であり、一番目のｍ−シーケンスはｘ１（０）＝１、ｘ１（ｎ）＝０、ｎ＝１，２，…，３０に初期化（ｉｎｉｔｉａｌｉｚｅ）される。二番面のｍ−シーケンスの初期化は、上記シーケンスの適用（ａｐｐｌｉｃａｔｉｏｎ）に依存する値を有する次式によって表示される。
【０１６９】
【数５】
0005941561.tif 000047
【０１７０】
上記の式３で、擬似−任意シーケンス生成器は、各無線フレームの開始時に次式によるｃｉｎｉｔに初期化される。
【０１７１】
【数６】
0005941561.tif 000048
【０１７２】
上記の式６で、
【０１７３】
【化４２】
0005941561.tif 000049
【０１７４】
はｆｌｏｏｒ演算を意味し、
【０１７５】
【化４３】
0005941561.tif 000050
【０１７６】
はＡより小さい又は等しい最大の整数を表す。
【０１７７】
現在３ＧＰＰ  ＬＴＥ（−Ａ）標準によれば、ＰＵＣＣＨとＰＵＳＣＨは上記の式３によって同一のグループホッピングパターンを有するが、互いに異なるシーケンスシフトパターンを有する。ＰＵＣＣＨに対するシーケンスシフトパターンｆｓｓＰＵＣＣＨは、セル識別情報（ｃｅｌｌ  ｉｄｅｎｔｉｔｙ；ｃｅｌｌ  ＩＤ）に基づいて次式によって与えられる。
【０１７８】
【数７】
0005941561.tif 000051
【０１７９】
ＰＵＳＣＨに対するシーケンスシフトパターンｆｓｓＰＵＳＣＨは、ＰＵＣＣＨに対するシーケンスシフトパターンｆｓｓＰＵＣＣＨ及び上位層によって構成される値（△ｓｓ）を用いた次式によって与えられる。
【０１８０】
【数８】
0005941561.tif 000052
【０１８１】
ここで、△ｓｓ∈｛０，１，…，２９｝である。
【０１８２】
基本シーケンスホッピングは、長さＭｓｃＲＳ≧６ＮｓｃＲＢであるＲＳのみに適用される。ＭｓｃＲＳ＜６ＮｓｃＲＢであるＲＳに対して、基本シーケンスグループ内の基本シーケンス番号ｖはｖ＝０によって与えられる。ＭｓｃＲＳ≧６ＮｓｃＲＢであるＲＳに対して、スロットｎｓで基本シーケンスグループ内の基本シーケンス番号ｖは、グループホッピングが不能化され、シーケンスホッピングが可能化された場合にはｖ＝ｃ（ｎｓ）と定義され、それともｖ＝０と定義される。ここで、擬似−任意シーケンスｃ（ｉ）は上記の式４によって与えられる。擬似−任意シーケンス生成器は、各無線フレームの開始時において次式によるｃｉｎｉｔに初期化される。
【０１８３】
【数９】
0005941561.tif 000053
【０１８４】
図６乃至図１０のＵＬ  ＲＳ（以下、ＰＵＣＣＨ  ＤＭＲＳ）のシーケンスｒＰＵＣＣＨ（ｐ）（・）は、次式によって与えられる。
【０１８５】
【数１０】
0005941561.tif 000054
【０１８６】
ここで、ｍ＝０，…，ＮＲＳＰＵＣＣＨ−１で、ｎ＝０，…，ＭｓｃＲＳ−１で、ｍ’＝０，１である。ＮＲＳＰＵＣＣＨは、ＰＵＣＣＨのためのスロット当たりの参照シンボルの個数を意味し、Ｐは、ＰＵＣＣＨ送信のために用いられるアンテナポートの個数である。シーケンスｒｕ，ｖ（α＿ｐ）（ｎ）は、ＭｓｃＲＳ＝１２を有する式１によって与えられ、ここで、循環シフトα＿ｐは、ＰＵＣＣＨフォーマットによって決定される。
【０１８７】
いかなるＰＵＣＣＨフォーマットも、セル−特定ＣＳである
【０１８８】
【化４４】
0005941561.tif 000055
【０１８９】
を用いる。
【０１９０】
【化４５】
0005941561.tif 000056
【０１９１】
は、シンボル番号
【０１９２】
【化４６】
0005941561.tif 000057
【０１９３】
及びスロット番号
【０１９４】
【化４７】
0005941561.tif 000058
【０１９５】
によって互いに異なる値を有し、
【０１９６】
【化４８】
0005941561.tif 000059
【０１９７】
によって決定される。ここで、擬似−任意シーケンスｃ（ｉ）は各無線フレームの開始時に
【０１９８】
【化４９】
0005941561.tif 000060
【０１９９】
によって初期化される。
【０２００】
ＰＵＣＣＨフォーマット２ａ及び２ｂに対して、ｚ（ｍ）はｍ＝１に対してｄ（１０）と同一であり、他の場合に対してｚ（ｍ）＝１である。正規ＣＰのみのために支援されるＰＵＣＣＨフォーマット２ａ及び２ｂに対してＵＣＩ情報ビットｂ（０），…，ｂ（Ｍｂｉｔ−１）のうちｂ（２０），…，ｂ（Ｍｂｉｔ−１）は、次の表１のように変調され、ＰＵＣＣＨフォーマット２ａ及び２ｂのための参照信号の生成に用いられる単一変調シンボルｄ（１０）となる。
【０２０１】
【表１】
0005941561.tif 000061
【０２０２】
図１１のＰＵＳＣＨ  ＲＳ（以下、ＰＵＳＣＨ  ＤＭ  ＲＳ）は、各レイヤ別に送信される。レイヤλ∈｛０，１，…，υ−１｝に関連したＰＵＳＣＨ  ＤＭ  ＲＳシーケンスｒＰＵＳＣＨ（ｐ）（・）は、次式によって与えられる。
【０２０３】
【数１１】
0005941561.tif 000062
【０２０４】
ここで、ｍ＝０，１で、ｎ＝０，…，ＭｓｃＲＳ−１で、ＭｓｃＲＳ＝ＭｓｃＰＵＳＣＨである。ＭｓｃＰＵＳＣＨは、上りリンク送信のためにスケジューリングされた帯域幅であって、副搬送波の個数を意味する。直交シーケンスｗ（λ）（ｍ）は当該ＰＵＳＣＨ送信に関連した送信ブロックのための最も最近の上りリンク−関連ＤＣＩ内の循環シフトフィールドを用いて次の表２によって与えられ得る。表２は、上りリンク−関連ＤＣＩフォーマット内の循環シフトフィールドのｎＤＭＲＳ，λ（２）及び［ｗ（λ）（０）ｗ（λ）（１）］へのマッピングを例示するものである。
【０２０５】
【表２】
0005941561.tif 000063
【０２０６】
スロットｎｓでの循環シフトα＿λは、２πｎｃｓ，λ／１２と与えられる。ここで、ｎｃｓ，λ＝（ｎＤＭＲＳ（１）＋ｎＤＭＲＳ，λ（２）＋ｎＰＮ（ｎｓ））ｍｏｄ１２である。ｎＤＭＲＳ（１）は、上位層シグナリングによって与えられる循環シフト（ｃｙｃｌｉｃ  Ｓｈｉｆｔ）パラメータによって次の表３によって与えられる。表３は、上位層シグナリングによる循環シフトのｎＤＭＲＳ（１）へのマッピングを示すものである。
【０２０７】
【表３】
0005941561.tif 000064
【０２０８】
ｎＰＮ（ｎｓ）は、セル−特定的擬似−任意シーケンスｃ（ｉ）を用いる、次式によって与えられる。
【０２０９】
【数１２】
0005941561.tif 000065
【０２１０】
ここで、擬似−任意シーケンスｃ（ｉ）は、式４によって定義される。擬似−任意シーケンス生成器は、各無線フレームの開始時に、次式によるｃｉｎｉｔに初期化される。
【０２１１】
【数１３】
0005941561.tif 000066
【０２１２】
一方、ＳＲＳシーケンスｒＳＲＳ（ｐ）（ｎ）＝ｒｕ，ｖ（α＿ｐ）（ｎ）は、式１によって定義される。ここで、ｕは、上のグループホッピングで説明されたＰＵＣＣＨシーケンス−グループ番号であり、ｖは、上のシーケンスホッピングで説明された基本シーケンス番号である。ＳＲＳの循環シフトα＿ｐは次のように与えられる。
【０２１３】
【数１４】
0005941561.tif 000067
【０２１４】
ここで、ｎＳＲＳｃｓ＝｛０，１，２，３，４，５，６，７｝は、上位層パラメータによって各ＵＥに対して構成される値であり、周期的サウンディングと非周期的サウンディングの各構成に対してそれぞれ異なった上位層パラメータによって構成される。Ｎａｐは、ＳＲＳ送信のために用いられるアンテナポートの個数を表す。
【０２１５】
協調マルチポイント（Ｃｏｏｒｄｉｎａｔｅｄ  Ｍｕｌｔｉ−Ｐｏｉｎｔ：ＣｏＭＰ）
３ＧＰＰ  ＬＴＥ−Ａシステムの改善されたシステム性能要求条件に応じて、ＣｏＭＰ送受信技術（ｃｏ−ＭＩＭＯ、共同（ｃｏｌｌａｂｏｒａｔｉｖｅ）ＭＩＭＯ又はネットワークＭＩＭＯなどと表現されることもある）が提案されている。ＣｏＭＰ技術は、セル−境界（ｃｅｌｌ−ｅｄｇｅ）に位置している端末の性能を増大させ、平均セクター収率（ｔｈｒｏｕｇｈｐｕｔ）を増大させることができる。
【０２１６】
一般に、周波数再使用因子（ｆｒｅｑｕｅｎｃｙ  ｒｅｕｓｅ  ｆａｃｔｏｒ）が１である多重−セル環境において、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少することがある。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉により制限を受けた環境においてセル−境界に位置している端末が適切な収率性能を有するようにする方法を適用してきた。しかし、セル当たりの周波数リソース使用を減らすよりは、ＩＣＩを低減したり、ＩＣＩを端末の所望する信号として再使用する方がより好ましいだろう。このような目的を達成するために、ＣｏＭＰ送信技法を適用することができる。
【０２１７】
下りリンクにおいて適用可能なＣｏＭＰ技法は、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに大別できる。
【０２１８】
ＪＰ技法は、ＣｏＭＰ協調単位のそれぞれのポイント（基地局）でデータを利用することができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類できる。
【０２１９】
ジョイント送信技法は、ＰＤＳＣＨが１回に複数個のポイント（ＣｏＭＰ協調単位の一部又は全部）から送信される技法のことをいう。すなわち、単一端末に送信されるデータを複数個の送信ポイントから同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、また、他の端末に対する干渉を能動的に消去することもできる。
【０２２０】
動的セル選択技法は、ＰＤＳＣＨが１回に（ＣｏＭＰ協調単位の）一つのポイントから送信される技法のことをいう。すなわち、特定時点で単一端末に送信されるデータは一つのポイントから送信し、その時点に協調単位内の他のポイントは当該端末に対してデータ送信をしない。また、当該端末にデータを送信するポイントは動的に選択できる。
【０２２１】
一方、ＣＳ／ＣＢ技法によれば、ＣｏＭＰ協調単位が単一端末に対するデータ送信のビームフォーミングを協調的に行うことができる。ここで、データはサービングセルからのみ送信するが、ユーザスケジューリング／ビームフォーミングは当該ＣｏＭＰ協調単位のセルの調整によって決定することができる。
【０２２２】
一方、上りリンクの場合に、調整（ｃｏｏｒｄｉｎａｔｅｄ）多重−ポイント受信は、地理的に離れた複数個のポイントの調整によって送信された信号を受信することを意味する。上りリンクにおいて適用可能なＣｏＭＰ技法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに大別できる。
【０２２３】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【０２２４】
このようなＣｏＭＰシステムを用いれば、端末は多重−セル基地局（Ｍｕｌｔｉ−ｃｅｌｌ  ｂａｓｅｓｔａｔｉｏｎ）から共同にデータ支援を受けることができる。また、各基地局は、同一の無線周波数リソース（Ｓａｍｅ  Ｒａｄｉｏ  Ｆｒｅｑｕｅｎｃｙ  Ｒｅｓｏｕｒｃｅ）を用いて一つ以上の端末を同時に支援することによって、システムの性能を向上させることができる。また、基地局は、基地局と端末間のチャネル状態情報に基づいて空間分割多元接続（Ｓｐａｃｅ  Ｄｉｖｉｓｉｏｎ  Ｍｕｌｔｉｐｌｅ  Ａｃｃｅｓｓ：ＳＤＭＡ）方法を行うこともできる。
【０２２５】
ＣｏＭＰシステムにおいてサービング基地局及び一つ以上の協調基地局はバックボーンネットワーク（Ｂａｃｋｂｏｎｅ  Ｎｅｔｗｏｒｋ）を通じてスケジューラ（ｓｃｈｅｄｕｌｅｒ）に接続する。スケジューラは、バックボーンネットワークを通じて、各基地局が測定した各端末及び協調基地局間のチャネル状態に関するチャネル情報をフィードバック受けて動作することができる。例えば、スケジューラは、サービング基地局及び一つ以上の協調基地局に対して協調的ＭＩＭＯ動作のための情報をスケジューリングすることができる。すなわち、スケジューラが各基地局に協調的ＭＩＭＯ動作に対する指示を直接下すことができる。
【０２２６】
上述した通り、ＣｏＭＰシステムは、複数個のセルを一つのグループにまとめて、仮想ＭＩＭＯシステムで動作するものといえる。このＣｏＭＰシステムには基本的に、多重アンテナを使用するＭＩＭＯシステムの通信技法を適用することができる。
【０２２７】
改善された上りリンク信号送信方案
前述した式１乃至式１４を参照すると、一つのセル内に位置したＵＥは、同一ＮＩＤｃｅｌｌを用いてＲＳシーケンスを生成する擬似−任意シーケンス生成器を初期化する。一つのＵＥの立場では一つのセルに向かってのみ上りリンク信号を送信するため、ＵＥはＰＵＳＣＨ  ＤＭＲＳ、ＰＵＣＣＨ  ＤＭＲＳ及びＳＲＳの生成のために一つのＮＩＤｃｅｌｌのみを使用する。すなわち、ＵＥが一つのセルにのみ上りリンク信号を送信する既存システムではＵＥベースのＤＭＲＳシーケンスが用いられた。言い換えると、既存通信システムでは一つのセルに対してのみ上りリンク送信を行うため、ＵＥは、サービングセルで受信した下りリンク同期信号ＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄａｒｙ  Ｓｙｎｃｈｒｏｎｉｚａｔｉｏｎ  Ｓｉｇｎａｌ）に基づいてＮＩＤｃｅｌｌ（すなわち、物理層（Ｐｈｙｓｉｃａｌ  ｌａｙｅｒ）セルＩＤ）を獲得し、該獲得したＮＩＤｃｅｌｌを上りリンクＲＳシーケンスの生成に用いればよい。
【０２２８】
しかし、上りリンクＣｏＭＰ状況では、一つのＵＥが複数のセル或いは受信ポイント（ＲＰ）に向かって上りリンク送信を行ったり、複数のセル或いはＲＰの一部に向かって上りリンク送信を行ったりすることができる。この場合、上りリンク送信側で既存の方式によって生成されたＲＳシーケンスを送信すると、受信側で当該ＲＳシーケンスを検出できない場合がある。
【０２２９】
したがって、複数のセル或いは複数のＲＰがＵＥの通信に参加するＣｏＭＰ状況のために、互いに異なるポイントが同時にデータを受信しないとしても、互いに異なるポイントに送信されるデータのためのＤＭＲＳの生成、リソース割当及び／又は送信方案が定義される必要がある。一つのＲＰは一つ以上のセルを通じて上りリンク信号をＵＥから受信することができるが、以下では説明の便宜のために、上りリンク信号を受信するセルをＲＰと総称して、本発明の実施例を説明する。
【０２３０】
本発明では、多重セル（多重ＲＰ）環境で、ＣｏＭＰ  ＵＥが上りリンクＰＵＳＣＨ送信及び／又はＰＵＣＣＨ送信で使用するＤＭＲＳシーケンスを生成する方案について提案する。
【０２３１】
図１２は、ＵＬ  ＣｏＭＰ動作の一例を説明するための図である。
【０２３２】
一つのＵＥ（すなわち、ＣｏＭＰ  ＵＥ）が複数個のセル（又は、ＲＰ）にＰＵＳＣＨを送信する上りリンクＣｏＭＰ動作において、上りリンクＤＭＲＳ間の相互直交性（ｍｕｔｕａｌ  ｏｒｔｈｏｇｏｎａｌｉｔｙ）が保障されることが重要である。仮に上りリンクＤＭＲＳ間の直交性が保障されないと、それぞれのＲＰが上りリンクチャネルを正しく推定できず、そのため、ＰＵＳＣＨの復調性能が大きく低下することがある。基本的には、ＵＥはサービングセルのセルＩＤを用いてＤＭＲＳの基本シーケンスを生成し、他のＤＭＲＳとの直交性のために、場合によってＯＣＣを適用できる。具体的に、上りリンクＤＭＲＳの基本シーケンス自体の決定はセルＩＤの関数でなければならず、ＰＵＣＣＨに対するＤＭＲＳの基本シーケンスインデックスに相対的に△ｓｓだけのオフセットを持ってＰＵＳＣＨに対する基本シーケンスインデックスが決定される。このとき、△ｓｓは上位層シグナリング（例えば、ＲＲＣシグナリング）によって与えられる。すなわち、ＰＵＣＣＨ  ＤＭＲＳとＰＵＳＣＨ  ＤＭＲＳの基本シーケンス生成に同一のセルＩＤが適用され、相互間に△ｓｓだけの基本シーケンスインデックスオフセットが適用される（上記の式８参照）。例えば、△ｓｓ＝０とＲＲＣシグナリングされると、ＰＵＣＣＨとＰＵＳＣＨは、ＤＭＲＳが同一の基本シーケンスと決定されてもよい。
【０２３３】
ＣｏＭＰ  ＵＥの場合、ＤＬサービングセルとＵＬサービングセルが異なることがあるため、ＤＬサービングセルのセルＩＤをＵＬ  ＤＭＲＳ基本シーケンス生成にそのまま用いることはできず、スケジューラの決定によるＲＰのセルＩＤを用いてＵＬ  ＤＭＲＳの基本シーケンスを生成しなければならない。すなわち、サービングセルのＩＤではなく他のセルのＩＤを用いてＵＬ  ＤＭＲＳの基本シーケンスを生成しなければならない。また、ＭＵ−ＭＩＭＯのためにペアリング（ｐａｉｒｉｎｇ）されるＵＥを決定するときにスケジューリング柔軟性（ｆｌｅｘｉｂｉｌｉｔｙ）を提供するためには、ＵＬ  ＤＭＲＳがいずれのセルＩＤを用いて生成されるべきかを動的（ｄｙｎａｍｉｃ）に指示することが好ましい。例えば、図１２で、セルＡ及びセルＢのセル境界に位置しているＣｏＭＰ  ＵＥは、複数個のＤＭＲＳ設定（セルＡに対するＤＭＲＳ設定及びセルＢに対するＤＭＲＳ設定を含む）を上位層によってシグナリングされることがある。また、チャネル状態及び他のネットワーク側の状態によって、該ＣｏＭＰ  ＵＥはセルＡの他のＵＥ（ＵＥ−Ａ）と一緒に共同−スケジューリング（ｃｏ−ｓｃｈｅｄｕｌｉｎｇ）されたり、セルＢの他のＵＥ（ＵＥ−Ｂ）と一緒に共同−スケジューリングされることもある。すなわち、いずれのＵＥと共同スケジューリングされるかによって、当該ＵＥの属したセルのＩＤを用いてＣｏＭＰ  ＵＥのＤＭＲＳ基本シーケンスが生成されるようにすることができ、ＤＭＲＳ基本シーケンス生成のためのセルＩＤの選択又は指示は動的に行われるようにすることができる。
【０２３４】
本発明では、このような上りリンクＣｏＭＰ動作を支援するために、ＵＥ−特定上位層シグナリング（例えば、ＲＲＣシグナリング）を通じてＰＵＳＣＨ  ＤＭＲＳシーケンス生成に用いられるセルＩＤをＵＥに提供することができる。ここで、本発明で提案するＰＵＳＣＨ  ＤＭＲＳシーケンス生成に用いられるセルＩＤは、既存の動作によるＤＭＲＳシーケンス生成に用いられるセルＩＤ（すなわち、物理層セルＩＤ（Ｐｈｙｓｉｃａｌ  ｌａｙｅｒ  Ｃｅｌｌ  ＩＤ；ＰＣＩ）を表すパラメータであるＮＩＤｃｅｌｌ）と区別するために、ＮＩＤ（ＰＵＳＣＨ）又はｎＩＤ（ＰＵＳＣＨ）のようなパラメータを用いて表現することができる。ここで、ＮＩＤ（ＰＵＳＣＨ）又はｎＩＤ（ＰＵＳＣＨ）は、ＰＵＳＣＨ  ＤＭＲＳシーケンス生成のための仮想セルＩＤ（ｖｉｒｔｕａｌ  ｃｅｌｌ  ＩＤ；ＶＣＩ）と呼ぶこともできる。ＰＵＳＣＨ  ＤＭＲＳシーケンス生成のための仮想セルＩＤ（本文書で混同の恐れがない限り、「ＰＵＳＣＨ  ＤＭＲＳ用ＶＣＩ」と称する）は、物理セルＩＤ（ＰＣＩ）と同一の値を有してもよく、異なる値を有してもよい。
【０２３５】
また、既存の動作によれば、ＰＵＳＣＨ  ＤＭＲＳに対するシーケンスシフトパターンｆｓｓＰＵＳＣＨは、ＰＵＣＣＨに対するシーケンスシフトパターンｆｓｓＰＵＣＣＨ及び上位層によって設定されるシーケンスシフト関連オフセット値（△ｓｓ）を用いて決定される（上記の式７及び８参照）。上記の式７のｆｓｓＰＵＣＣＨを上記の式８に代入すれば、次式１５のように整理できる。
【０２３６】
【数１５】
0005941561.tif 000068
【０２３７】
本発明では、ＰＵＳＣＨ  ＤＭＲＳ用ＶＣＩパラメータ（例えば、ＮＩＤ（ＰＵＳＣＨ）又はｎＩＤ（ＰＵＳＣＨ））が用いられるように上位層によって設定される場合、上位層によって設定される△ｓｓをそのまま使用してもよい。これを△ｓｓ設定に対する第１方案ということができる。
【０２３８】
又は、本発明では、ＰＵＳＣＨ  ＤＭＲＳ用ＶＣＩパラメータ（例えば、ＮＩＤ（ＰＵＳＣＨ）又はｎＩＤ（ＰＵＳＣＨ））が用いられるように上位層によって設定される場合、上位層によって設定される△ｓｓ値を用いるのではなく、あらかじめ定められた（又は、あらかじめ約束された）特定△ｓｓ値を用いて（すなわち、固定された△ｓｓ値を用いて）ＰＵＳＣＨ  ＤＭＲＳシーケンスが生成されるようにしてもよい。すなわち、ＵＥにＰＵＳＣＨ  ＤＭＲＳ用ＶＣＩパラメータ（例えば、ＮＩＤ（ＰＵＳＣＨ）又はｎＩＤ（ＰＵＳＣＨ））が上位層を通じてシグナリングされた場合では、該ＵＥは、既存に持っていた（又は、上位層によって設定された）△ｓｓ値を用いず、あらかじめ定義された△ｓｓ値を用いるものと動作してもよい。これを、△ｓｓ設定に対する第２方案ということができる。
【０２３９】
上記の△ｓｓ設定に対する第２方案の具体的な例示の一つとして、本発明では、ＰＵＳＣＨ  ＤＭＲＳ用ＶＣＩパラメータ（ＮＩＤ（ＰＵＳＣＨ）又はｎＩＤ（ＰＵＳＣＨ））が用いられるように上位層によって設定される場合、△ｓｓ＝０のものと動作するようにあらかじめ規則を定めておいてもよい。これを、△ｓｓ設定に対する第３方案ということができる。
【０２４０】
例えば、上記の式１５で、物理セルＩＤパラメータであるＮＩＤｃｅｌｌに代えて、上位層によってＰＵＳＣＨ  ＤＭＲＳ用ＶＣＩパラメータ（ＮＩＤ（ＰＵＳＣＨ）又はｎＩＤ（ＰＵＳＣＨ））が適用され、△ｓｓ＝０に設定されてもよい。これを整理すれば、次式１６の通りである。
【０２４１】
【数１６】
0005941561.tif 000069
【０２４２】
また、ＰＵＳＣＨ  ＤＭＲＳ用ＶＣＩ（ＮＩＤ（ＰＵＳＣＨ）又はｎＩＤ（ＰＵＳＣＨ））として複数個の値を上位層によって設定し、上りリンクスケジューリンググラント情報（すなわち、上りリンク−関連ＤＣＩ）を通じてこれら複数個のＰＵＳＣＨ  ＤＭＲＳ用ＶＣＩ値のいずれかの値を用いるかを動的に指示してもよい。ここで、ＰＵＳＣＨ  ＤＭＲＳ用ＶＣＩ（ＮＩＤ（ＰＵＳＣＨ）又はｎＩＤ（ＰＵＳＣＨ））が上位層によって設定される時に、それぞれのＶＣＩ値にマップされた特定△ｓｓ値が用いられるように設定されてもよい。
【０２４３】
また、上りリンク−関連ＤＣＩを通じてＰＵＳＣＨ  ＤＭＲＳ用ＶＣＩ（ＮＩＤ（ＰＵＳＣＨ）又はｎＩＤ（ＰＵＳＣＨ））値のいずれか一つを動的に指示する方案として、上りリンク−関連ＤＣＩフォーマットに仮想セルＩＤ指示目的のビットを新しく追加して明示的に指示したり、既存のビットを再使用してもよい。例えば、上りリンク−関連ＤＣＩ（例えば、ＤＣＩフォーマット０又は４）の既存のビットフィールドの中で、３ビットサイズの「Ｃａｒｒｉｅｒ  Ｉｎｄｉｃａｔｏｒ」フィールド又は３ビットサイズの「Ｃｙｃｌｉｃ  Ｓｈｉｆｔ  ｆｏｒ  ＤＭＲＳ  ａｎｄ  ＯＣＣ  ｉｎｄｅｘ」フィールドの状態（ｓｔａｔｅ）の一つが、ＰＵＳＣＨ  ＤＭＲＳ用ＶＣＩ（ＮＩＤ（ＰＵＳＣＨ）又はｎＩＤ（ＰＵＳＣＨ））値のいずれか一つを黙示的に指示するようにマッピング関係を定めておいてもよい。
【０２４４】
上記の諸例示では、ＰＵＳＣＨ  ＤＭＲＳ用ＶＣＩ（すなわち、ＮＩＤ（ＰＵＳＣＨ）又はｎＩＤ（ＰＵＳＣＨ））が上位層によって設定される場合について説明した。本発明では、ＰＵＣＣＨ  ＤＭＲＳシーケンス生成において用いられる仮想セルＩＤ（以下では、混同の恐れがない限り、ＰＵＣＣＨ  ＤＭＲＳ用ＶＣＩと称する）がＵＥ−特定上位層シグナリング（例えば、ＲＲＣシグナリング）によって設定／提供される方案を提案する。ＰＵＣＣＨ  ＤＭＲＳ用ＶＣＩパラメータはＮＩＤ（ＰＵＣＣＨ）又はｎＩＤ（ＰＵＣＣＨ）と表現されてもよい。
【０２４５】
すなわち、既存の動作では、ＰＵＳＣＨ  ＤＭＲＳのシーケンス生成とＰＵＣＣＨ  ＤＭＲＳのシーケンス生成において同一のセルＩＤ（すなわち、物理セルＩＤパラメータであるＮＩＤｃｅｌｌ）が用いられたが、本発明では、ＰＵＳＣＨ  ＤＭＲＳ用ＶＣＩ（すなわち、ＮＩＤ（ＰＵＳＣＨ）又はｎＩＤ（ＰＵＳＣＨ））とＰＵＣＣＨ  ＤＭＲＳ用ＶＣＩ（すなわち、ＮＩＤ（ＰＵＣＣＨ）又はｎＩＤ（ＰＵＣＣＨ））が別々に（又は、独立して）設定される方案を提案する。
【０２４６】
また、より簡略に表現するために、ＰＵＳＣＨ  ＤＭＲＳ用ＶＣＩとＰＵＣＣＨ  ＤＭＲＳ用ＶＣＩを一つのパラメータとして
【０２４７】
【化５０】
0005941561.tif 000070
【０２４８】
と表現することもできる。この場合には、送信のタイプによって
【０２４９】
【化５１】
0005941561.tif 000071
【０２５０】
を決定することができる。
【０２５１】
【化５２】
0005941561.tif 000072
【０２５２】
を、ＰＵＳＣＨに関連した送信では
【０２５３】
【化５３】
0005941561.tif 000073
【０２５４】
又は
【０２５５】
【化５４】
0005941561.tif 000074
【０２５６】
と定義し、ＰＵＣＣＨに関連した送信では
【０２５７】
【化５５】
0005941561.tif 000075
【０２５８】
又は
【０２５９】
【化５６】
0005941561.tif 000076
【０２６０】
と定義できる。ここでは
【０２６１】
【化５７】
0005941561.tif 000077
【０２６２】
という一つのパラメータとして表現するが、実際に
【０２６３】
【化５８】
0005941561.tif 000078
【０２６４】
（又は
【０２６５】
【化５９】
0005941561.tif 000079
【０２６６】
）と
【０２６７】
【化６０】
0005941561.tif 000080
【０２６８】
（又は
【０２６９】
【化６１】
0005941561.tif 000081
【０２７０】
）は別々のパラメータとして定義される。すなわち、
【０２７１】
【化６２】
0005941561.tif 000082
【０２７２】
（又は
【０２７３】
【化６３】
0005941561.tif 000083
【０２７４】
）と
【０２７５】
【化６４】
0005941561.tif 000084
【０２７６】
（又は
【０２７７】
【化６５】
0005941561.tif 000085
【０２７８】
）は別々のパラメータとして上位層によって設定され得ることを理解されたい。
【０２７９】
ＰＵＣＣＨに関連したＶＣＩ（すなわち、
【０２８０】
【化６６】
0005941561.tif 000086
【０２８１】
又は
【０２８２】
【化６７】
0005941561.tif 000087
【０２８３】
）とＰＵＳＣＨに関連したＶＣＩ（すなわち、
【０２８４】
【化６８】
0005941561.tif 000088
【０２８５】
又は
【０２８６】
【化６９】
0005941561.tif 000089
【０２８７】
）が互いに異なるように与えられる場合、一つの端末のＰＵＣＣＨ送信とＰＵＳＣＨ送信がそれぞれ異なるＲＰに向かう動作を意味することができる。すなわち、ＰＵＣＣＨは
【０２８８】
【化７０】
0005941561.tif 000090
【０２８９】
又は
【０２９０】
【化７１】
0005941561.tif 000091
【０２９１】
に該当するＲＰに向かって送信され、ＰＵＳＣＨは
【０２９２】
【化７２】
0005941561.tif 000092
【０２９３】
又は
【０２９４】
【化７３】
0005941561.tif 000093
【０２９５】
に該当するＲＰに向かって送信される動作を意味できる。
【０２９６】
また、ＰＵＣＣＨ  ＤＭＲＳ用ＶＣＩ（ＮＩＤ（ＰＵＣＣＨ）又はｎＩＤ（ＰＵＣＣＨ））として複数個の値が上位層によって設定されてもよい。また、上りリンク−関連ＤＣＩを通じて上記複数個のＰＵＣＣＨ  ＤＭＲＳ用ＶＣＩ値のいずれかを用いるかを動的に指示してもよい。ＰＵＣＣＨ  ＤＭＲＳ用ＶＣＩの動的指示方案として、既存の上りリンク−関連ＤＣＩフォーマットの特定ビットフィールドの状態を通じて黙示的に指示する方案、又は新しいビットフィールドを追加して明示的に指示する方案を適用することができる。例えば、上りリンク−関連ＤＣＩフォーマット（例えば、ＤＣＩフォーマット０又は４）の「ＨＡＲＱ  ｐｒｏｃｅｓｓ  ｎｕｍｂｅｒ」フィールド（ＦＤＤの場合３ビット、ＴＤＤの場合４ビットで定義される）の状態のいずれか一つが、上記複数個のＰＵＣＣＨ  ＤＭＲＳ用ＶＣＩ値のいずれか一つを暗黙的に指示するようにマッピング関係を定めておいてもよい。又は、下りリンク割当に対するＤＣＩ（例えば、ＤＣＩフォーマット２Ｃ）において下りリンクＤＭＲＳ（又は、ＵＥ−特定ＲＳ）に対するパラメータを指示するビットフィールド（例えば、３ビットサイズの「Ａｎｔｅｎｎａ  ｐｏｒｔ（ｓ）、ｓｃｒａｍｂｌｉｎｇ  ｉｄｅｎｔｉｔｙ  ａｎｄ  ｎｕｍｂｅｒ  ｏｆ  ｌａｙｅｒｓ」フィールドで指示されるスクランブリングＩＤ値を用いて下りリンクＤＭＲＳシーケンス生成を行うことができる）の状態のいずれか一つが、上記複数個のＰＵＣＣＨ  ＤＭＲＳ用ＶＣＩ値のいずれか一つを暗黙的に指示するようにマッピング関係を定めておいてもよい。
【０２９７】
前述した本発明の例示を式にまとめると、次の通りである。
【０２９８】
上記の式３及び式６によって上りリンクＤＭＲＳのグループホッピングパターンｆｇｈ（ｎｓ）の決定に用いられる擬似−任意シーケンスｃ（ｉ）を生成するとき、本発明によれば、擬似−任意シーケンス生成器を、それぞれの無線フレームの開始時に次式によるｃｉｎｉｔに初期化することができる。すなわち、上記の式６を下の式１７に代えることができる。
【０２９９】
【数１７】
0005941561.tif 000094
【０３００】
上記の式１７を、次式１８のように表現することもできる。
【０３０１】
【数１８】
0005941561.tif 000095
【０３０２】
また、ＰＵＣＣＨ  ＤＭＲＳ用シーケンスシフトパラメータｆｓｓＰＵＣＣＨは、次式１９のように表現することができる。
【０３０３】
【数１９】
0005941561.tif 000096
【０３０４】
上記の式１９を、次式２０のように表現することもできる。
【０３０５】
【数２０】
0005941561.tif 000097
【０３０６】
また、ＰＵＳＣＨ  ＤＭＲＳ用シーケンスシフトパラメータｆｓｓＰＵＳＣＨを決定するとき、上記の式１６の例示のように△ｓｓ＝０とあらかじめ定義された場合は、次式２１のように表現することができる。
【０３０７】
【数２１】
0005941561.tif 000098
【０３０８】
上記の式２１を、上記の式１６（すなわち、
【０３０９】
【化７４】
0005941561.tif 000099
【０３１０】
又は
【０３１１】
【化７５】
0005941561.tif 000100
【０３１２】
）のように表現することもできる。
【０３１３】
ここで、上記の式１９及び２１ではｆｓｓＰＵＣＣＨとｆｓｓＰＵＳＣＨが同一形態の式と定義されているが、実際に適用されるＶＣＩ（すなわち、
【０３１４】
【化７６】
0005941561.tif 000101
【０３１５】
）の値がそれぞれ、
【０３１６】
【化７７】
0005941561.tif 000102
【０３１７】
（又は
【０３１８】
【化７８】
0005941561.tif 000103
【０３１９】
）と
【０３２０】
【化７９】
0005941561.tif 000104
【０３２１】
（又は
【０３２２】
【化８０】
0005941561.tif 000105
【０３２３】
）と互いに異なっていることに注目されたい。
【０３２４】
上記の式２１のような方式（すなわち、△ｓｓ設定に対する第３方案）が適用される場合、当該ＵＥに対して以前に提供された上位層シグナリングによって設定された△ｓｓ値が既に存在しているとしても、ＰＵＳＣＨ用ＶＣＩ（すなわち、
【０３２５】
【化８１】
0005941561.tif 000106
【０３２６】
又は
【０３２７】
【化８２】
0005941561.tif 000107
【０３２８】
）が上位層シグナリングによって設定される場合には、△ｓｓを０に設定してｆｓｓＰＵＳＣＨ計算を行うという意味を有することができる。
【０３２９】
又は、ＰＵＳＣＨ  ＤＭＲＳ用シーケンスシフトパラメータｆｓｓＰＵＳＣＨを決定するにあって、上位層によって設定される△ｓｓ値が用いられる場合（すなわち、△ｓｓ設定に対する第１方案）、又はあらかじめ定められた特定△ｓｓ値を使用する場合（すなわち、△ｓｓ設定に対する第２方案）は、次式２２のように表現することができる。
【０３３０】
【数２２】
0005941561.tif 000108
【０３３１】
上記の式２２で、△ｓｓ∈｛０，１，…，２９｝であってもよい。
【０３３２】
上記の式２２を、次式２３のように表現することもできる。
【０３３３】
【数２３】
0005941561.tif 000109
【０３３４】
上記の△ｓｓ設定に対する第１方案によれば、当該ＵＥに対して以前に提供された上位層シグナリングによって設定された△ｓｓ値をそのまま用いながら、且つ上位層によってシグナリングされるＰＵＳＣＨ用ＶＣＩ（すなわち、
【０３３５】
【化８３】
0005941561.tif 000110
【０３３６】
又は
【０３３７】
【化８４】
0005941561.tif 000111
【０３３８】
）を用いてｆｓｓＰＵＳＣＨを計算することができる。
【０３３９】
上記の△ｓｓ設定に対する第２方案によれば、当該ＵＥに対して以前に提供された上位層シグナリングによって設定された△ｓｓ値が既に存在しているとしても、ＰＵＳＣＨ用ＶＣＩ（すなわち、
【０３４０】
【化８５】
0005941561.tif 000112
【０３４１】
又は
【０３４２】
【化８６】
0005941561.tif 000113
【０３４３】
）が上位層シグナリングによって設定される場合は、△ｓｓを特定値ｓ（ｓ∈｛０，１，…，２９｝）と固定的にセッティングしてｆｓｓＰＵＳＣＨ計算を行うという意味を有することができる。
【０３４４】
前述した本発明の例示によれば、ＰＵＳＣＨ  ＤＭＲＳ用ＶＣＩ（すなわち、
【０３４５】
【化８７】
0005941561.tif 000114
【０３４６】
又は
【０３４７】
【化８８】
0005941561.tif 000115
【０３４８】
）としてＡ値が上位層によって設定されたＵＥのグループホッピングパターン（ｆｇｈ（ｎｓ））は、セルＩＤとして同一のＡ値を用いる他のＵＥ（すなわち、実際ＰＣＩがＡに設定されたＵＥ及び／又はＰＵＳＣＨ用ＶＣＩがＡに設定されたＵＥ）のグループホッピングパターンと一致することとなる。また、シーケンスシフトパターン（ｆｓｓＰＵＳＣＨ）を決定する時に同一の△ｓｓ（特に、△ｓｓ＝０）を適用すると、ＰＵＳＣＨ用ＶＣＩが設定されたＵＥと他のＵＥのＰＵＳＣＨ  ＤＭＲＳ用シーケンスシフトパターンも一致することとなる。これによって、同一のグループホッピングパターン及び同一のシーケンスシフトパターンを用いる複数ＵＥの基本シーケンスインデックスｕが一致することとなる（上記の式２参照）。複数ＵＥの基本シーケンスインデックスが一致するということは、それぞれのＵＥに異なった循環シフト（ＣＳ）値を適用することによって、それぞれのＵＥのＤＭＲＳ間の直交性を付与できるという意味を有する。したがって、既存の無線通信システムにおいて同一の一つのセル内で互いに異なったＣＳを用いてＰＵＳＣＨ  ＤＭＲＳ間の直交性を付与した方式から脱皮して、本発明の提案によって特定ＵＥに対してＰＵＳＣＨ  ＤＭＲＳ用ＶＣＩを設定することによって、他のセルに属したＵＥのＰＵＳＣＨ  ＤＭＲＳ間の直交性を付与することができる。これによって、互いに異なるセルに属したＵＥに対するＭＵ−ＭＩＭＯペアリング（ｐａｉｒｉｎｇ）が可能となり、より進展した形態のＵＬ  ＣｏＭＰ動作を支援することができる。
【０３４９】
さらに、複数個のＵＥに互いに異なるＰＵＳＣＨ  ＤＭＲＳ用ＶＣＩ値を設定しても、これら複数個のＵＥが同一のＰＵＳＣＨ  ＤＭＲＳ基本シーケンスを用いるようにしてＰＵＳＣＨ  ＤＭＲＳ間の直交性を付与してもよい。
【０３５０】
具体的に、上記の△ｓｓ設定に対する第１、第２及び第３方案は、ＰＵＳＣＨ  ＤＭＲＳ用ＶＣＩ（すなわち、
【０３５１】
【化８９】
0005941561.tif 000116
【０３５２】
又は
【０３５３】
【化９０】
0005941561.tif 000117
【０３５４】
）が上位層によってシグナリングされた場合に用いられる△ｓｓを決定する規則に該当する。これら方案のいずれか一つの規則が適用されると仮定すれば、基地局側では、適用される△ｓｓを考慮して適切なＰＵＳＣＨ  ＤＭＲＳ用ＶＣＩ（すなわち、
【０３５５】
【化９１】
0005941561.tif 000118
【０３５６】
又は
【０３５７】
【化９２】
0005941561.tif 000119
【０３５８】
）を選択して、ＵＥに上位層を通じてシグナリングすることができる。ここで、グループホッピングパターン（ｆｇｈ（ｎｓ））を決定する要素（又は、、シード（ｓｅｅｄ）値）であるｃｉｎｉｔは、上記の式１７及び式１８からわかるように、ｆｌｏｏｒ演算によって３０個の異なったＶＣＩ（すなわち、
【０３５９】
【化９３】
0005941561.tif 000120
【０３６０】
又は
【０３６１】
【化９４】
0005941561.tif 000121
【０３６２】
）値に対して同一の値に決定される。したがって、同一のグループホッピングパターン（ｆｇｈ（ｎｓ））を生成する３０通りの異なったＶＣＩ値の中から適切なものを選択して、ｆｓｓＰＵＳＣＨ値を特定値にすることができる。すなわち、互いに異なる２つのＵＥに対してそれぞれ異なったＶＣＩを設定しながらも、それぞれのＵＥが計算するグループホッピングパターン（ｆｇｈ（ｎｓ））が同一となり、且つそれぞれのＵＥが計算するシーケンスシフトパターン（ｆｓｓＰＵＳＣＨ）が同一となるようにすることができる。このように、ＭＵ−ＭＩＭＯペアリングされる複数個のＵＥ間のグループホッピングパターン（ｆｇｈ（ｎｓ））及びシーケンスシフトパターン（ｆｓｓＰＵＳＣＨ）が互いに一致するようにする適切なＶＣＩ（すなわち、
【０３６３】
【化９５】
0005941561.tif 000122
【０３６４】
又は
【０３６５】
【化９６】
0005941561.tif 000123
【０３６６】
）を上位層を通じて設定することができる。これによって、複数個のＵＥのＰＵＳＣＨ  ＤＭＲＳ基本シーケンスが一致することとなるため、それぞれのＵＥに互いに異なるＣＳなどを適用する方式によってＰＵＳＣＨ  ＤＭＲＳ間の直交性を付与することができる。
【０３６７】
また、ＵＥ−特定ＶＣＩ（すなわち、
【０３６８】
【化９７】
0005941561.tif 000124
【０３６９】
又は
【０３７０】
【化９８】
0005941561.tif 000125
【０３７１】
）を設定する方式及び／又はＵＥ−特定△ｓｓを設定する方式によって複数ＵＥのグループホッピングパターン（ｆｇｈ（ｎｓ））及び／又はシーケンスシフトパターン（ｆｓｓＰＵＳＣＨ）を一致させることができる。ここで、それぞれのＵＥに対して△ｓｓ値を追加的に上位層シグナリングする方式は余計なオーバーヘッドを発生させることがあるため、△ｓｓ値を別途にシグナリングしないでＵＥ−特定ＶＣＩだけをシグナリングすることで、グループホッピングパターン（ｆｇｈ（ｎｓ））及びシーケンスシフトパターン（ｆｓｓＰＵＳＣＨ）をＵＥ間に一致させてもよい。
【０３７２】
本発明の追加的な例示として、ＰＵＳＣＨ送信に対するＶＣＩ（すなわち、
【０３７３】
【化９９】
0005941561.tif 000126
【０３７４】
又は
【０３７５】
【化１００】
0005941561.tif 000127
【０３７６】
）はｆｓｓＰＵＳＣＨを決定する時にのみ用いられるものと制限してもよい。すなわち、ｆｓｓＰＵＣＣＨに対しては上記の式７のように現在サービングセルのＰＣＩ（すなわち、ＮＩＤｃｅｌｌ）が用いられ、ｆｓｓＰＵＳＣＨに対してのみ本発明で提案するＶＣＩ（すなわち、
【０３７７】
【化１０１】
0005941561.tif 000128
【０３７８】
又は
【０３７９】
【化１０２】
0005941561.tif 000129
【０３８０】
）を用いるように定義して、ＰＵＣＣＨとＰＵＳＣＨのシーケンスを分離してもよい。
【０３８１】
又は、本発明の変形例として、
【０３８２】
【化１０３】
0005941561.tif 000130
【０３８３】
がｆｓｓＰＵＣＣＨにも適用されるようにしてもよい。すなわち、ｆｓｓＰＵＣＣＨが次式２４のように定義されてもよい。
【０３８４】
【数２４】
0005941561.tif 000131
【０３８５】
上記の式２４の意味は、ＵＥ−特定ＶＣＩ（ＮＩＤ）が上位層シグナリングによって設定されて、ｆｓｓＰＵＣＣＨ及びｆｓｓＰＵＳＣＨの決定に共通に用いられる方案ということができる。すなわち、ＵＥ−特定ＮＩＤを設定することによって、当該ＵＥのＰＵＣＣＨ及びＰＵＳＣＨ送信が、上記ＮＩＤを用いるＲＰに向かうように動作する方案であるということもできる。
【０３８６】
本発明の範囲は、前述した例示に制限されるものではなく、ＵＥ−特定ＶＣＩを設定することによって、ＰＵＳＣＨ  ＤＭＲＳシーケンスグループホッピングパターン（ｆｇｈ（ｎｓ））及び／又はシフトパターン（ｆｓｓＰＵＳＣＨ）をＵＥ間に一致させるための様々な方式を含んでもよい。
【０３８７】
一方、グループホッピングが不能化され、シーケンスホッピングが可能化された場合に、既存の方式によるシーケンスホッピングは上記の式９のように定義できる。本発明で提案するように、ＵＥ−特定ＶＣＩ（すなわち、
【０３８８】
【化１０４】
0005941561.tif 000132
【０３８９】
又は
【０３９０】
【化１０５】
0005941561.tif 000133
【０３９１】
）が上位層によって設定され、シーケンスホッピングが可能化されると、擬似−任意シーケンス生成器は各無線フレームの開始時において次式によるｃｉｎｉｔに初期化されてもよい。
【０３９２】
【数２５】
0005941561.tif 000134
【０３９３】
上記の式２５で用いられるＶＣＩ（すなわち、
【０３９４】
【化１０６】
0005941561.tif 000135
【０３９５】
（ＰＵＳＣＨ送信に対して
【０３９６】
【化１０７】
0005941561.tif 000136
【０３９７】
又は
【０３９８】
【化１０８】
0005941561.tif 000137
【０３９９】
）は、上記の本発明の他の例示で説明したＵＥに上位層シグナリングされるＰＵＳＣＨ  ＤＭＲＳ用ＶＣＩと同一の値に該当し得る。また、上記の式２５のｆｓｓＰＵＳＣＨは、上記の式１６、２１、２２又は２３によって決定された値（すなわち、上記の△ｓｓ設定に対する第１、第２又は第３方案によって決定された値）と同一の値に該当し得る。
【０４００】
具体的な例示として、上記の式２５での
【０４０１】
【化１０９】
0005941561.tif 000138
【０４０２】
値及びｆｓｓＰＵＳＣＨ値としては、△ｓｓ設定に対する第３方案（すなわち、別途の△ｓｓ設定のための上位層シグナリング無しで△ｓｓ＝０に決定する方案）が適用される場合に、ＭＵ−ＭＩＭＯペアリングされる複数個のＵＥに対して設定されるグループホッピングパターン（ｆｇｈ（ｎｓ））及びシーケンスホッピングパターン（ｆｓｓＰＵＳＣＨ）を一致させるために決定された
【０４０３】
【化１０９−１】
0005941561.tif 000139
【０４０４】
値及びｆｓｓＰＵＳＣＨ値と同一の値を用いることができる。
【０４０５】
仮想セルＩＤ値の範囲設定方案
前述したように、ＰＵＣＣＨ  ＤＭＲＳのための第１ＶＣＩ（例えば、
【０４０６】
【化１１０】
0005941561.tif 000140
【０４０７】
又は
【０４０８】
【化１１１】
0005941561.tif 000141
【０４０９】
）とＰＵＳＣＨ  ＤＭＲＳのための第２ＶＣＩ（
【０４１０】
【化１１２】
0005941561.tif 000142
【０４１１】
又は
【０４１２】
【化１１３】
0005941561.tif 000143
【０４１３】
）を別途のパラメータとして提供することができる。
【０４１４】
ここで、ＰＵＣＣＨ用第１ＶＣＩ（例えば、
【０４１５】
【化１１４】
0005941561.tif 000144
【０４１６】
又は
【０４１７】
【化１１５】
0005941561.tif 000145
【０４１８】
）としては、物理層セルＩＤ（ＰＣＩ）のように５０４通り（すなわち、０乃至５０３の範囲）の値のいずれか一値に設定することができる。既存の無線通信システムではＰＵＣＣＨに対するシーケンスシフトパターン（
【０４１９】
【化１１６】
0005941561.tif 000146
【０４２０】
）は、上記の式７のように
【０４２１】
【化１１７】
0005941561.tif 000147
【０４２２】
によって、△ｓｓの適用無しで計算された。また、本発明の提案によって上位層シグナリングを通じてＰＵＣＣＨ用第１ＶＣＩ（例えば、
【０４２３】
【化１１８】
0005941561.tif 000148
【０４２４】
又は
【０４２５】
【化１１９】
0005941561.tif 000149
【０４２６】
）が設定される場合は、上記の式２０のように、
【０４２７】
【化１２０】
0005941561.tif 000150
【０４２８】
又は
【０４２９】
【化１２１】
0005941561.tif 000151
【０４３０】
によって、
【０４３１】
【化１２２】
0005941561.tif 000152
【０４３２】
は△ｓｓの適用無しで計算される。したがって、ＰＵＣＣＨ用第１ＶＣＩの範囲が既存のＰＣＩのように０乃至５０３の範囲に制限される場合にも、シーケンスシフト動作を正しく支援することができる。
【０４３３】
一方、ＰＵＳＣＨ用第２ＶＣＩ（
【０４３４】
【化１２３】
0005941561.tif 000153
【０４３５】
又は
【０４３６】
【化１２４】
0005941561.tif 000154
【０４３７】
）が既存のＰＣＩと同じ範囲を有するようにする場合、ＰＵＳＣＨ  ＤＭＲＳに対するシーケンスシフト動作を正しく支援することができない。既存の無線通信システムにおいてＰＵＳＣＨに対するシーケンスシフトパターン（ｆｓｓＰＵＳＣＨ）は、上記の式８のように
【０４３８】
【化１２５】
0005941561.tif 000155
【０４３９】
によって△ｓｓを用いて計算された。しかし、本発明で提案する方式（特に、△ｓｓ設定に対する第３方案）によれば、上位層シグナリングによってＰＵＳＣＨ用第２ＶＣＩ（例えば、
【０４４０】
【化１２６】
0005941561.tif 000156
【０４４１】
又は
【０４４２】
【化１２７】
0005941561.tif 000157
【０４４３】
）が設定される場合には、上記の式１６でのように
【０４４４】
【化１２８】
0005941561.tif 000158
【０４４５】
又は
【０４４６】
【化１２９】
0005941561.tif 000159
【０４４７】
によって
【０４４８】
【化１３０】
0005941561.tif 000160
【０４４９】
は△ｓｓの適用無しで計算される。既存の無線通信システムでのＰＣＩ及び△ｓｓを用いる方式は、３０通りの基本シーケンスグループと１７通りのシーケンスグループホッピングパターンをカバーするために用いられた。すなわち、ＰＣＩの範囲が０乃至５０３に制限されるため、ＰＣＩのみに基づくと５１０通り（すなわち、基本シーケンスグループ３０個×シーケンスグループホッピングパターン１７個）の場合の数を全部カーすることができなかったため、オフセット値（△ｓｓ）を追加的に用いたわけである。したがって、△ｓｓを用いないでＰＵＳＣＨに対する第２ＶＣＩのみを用いて
【０４５０】
【化１３１】
0005941561.tif 000161
【０４５１】
を決定するためには、第２ＶＣＩ（例えば、
【０４５２】
【化１３２】
0005941561.tif 000162
【０４５３】
又は
【０４５４】
【化１３３】
0005941561.tif 000163
【０４５５】
）値の範囲を修正する必要がある。
【０４５６】
したがって、本発明では、ＰＵＳＣＨ用第２ＶＣＩ（例えば、
【０４５７】
【化１３４】
0005941561.tif 000164
【０４５８】
又は
【０４５９】
【化１３５】
0005941561.tif 000165
【０４６０】
）の値の範囲を０乃至５０９に定義することを提案する。これによって、互いに異なる基本シーケンスグループ及び互いに異なるシーケンスグループホッピングパターンによる５１０通り（３０×１７）のいかなる場合の数もカバーすることが可能になる。
【０４６１】
また、ＰＵＣＣＨ  ＤＭＲＳのための第１ＶＣＩ（例えば、
【０４６２】
【化１３６】
0005941561.tif 000166
【０４６３】
又は
【０４６４】
【化１３７】
0005941561.tif 000167
【０４６５】
）とＰＵＳＣＨ  ＤＭＲＳのための第２ＶＣＩ（
【０４６６】
【化１３８】
0005941561.tif 000168
【０４６７】
又は
【０４６８】
【化１３９】
0005941561.tif 000169
【０４６９】
）は別途に（又は、独立して）パラメータとして定義／設定／提供されるということは、第１ＶＣＩの可能な範囲（すなわち、０乃至５０３）と第２ＶＣＩの可能な範囲（すなわち、０乃至５０９）とが異なるという意味を含むことができる。
【０４７０】
さらに、前述したように、少なくとも５１０（＝３０×１７）通りの異なったパターンを単一ＶＣＩでカバーするための目的を達成するためには、ＶＣＩの範囲が少なくとも０乃至５０９は含み、それ以上の大きさの範囲を有するように設定されてもよい。
【０４７１】
例えば、ＶＣＩの範囲を０乃至５１１にしてもよい。これは、少なくとも５０９通りの状態（ｓｔａｔｅ）を表現するためには９ビットのビット幅が必要であり、９ビットのビット幅は最大５１２通りの状態を表現できるという点を考慮したものである。
【０４７２】
また、より増加した範囲のＶＣＩを利用できるように、ＶＣＩの範囲を０乃至１０２３にしてもよく、これは、全体１０２４個の状態を支援する１０ビットのビット幅を極力支援する方式といえる。仮に、グループホッピング、シーケンスシフト、シーケンスホッピング、及びＣＳホッピングの一つ以上において新しいパターンを生成することが要求される場合には、このように増加した範囲のＶＣＩ部分を定義及び利用してもよい。
【０４７３】
上りリンク参照信号生成関連ＵＥ動作
前述した本発明の上りリンク参照信号生成方案に基づいて、既存の無線通信システムに従うＵＥ（以下では、レガシー−ＵＥ（Ｌ−ＵＥ）と称する）の動作を考慮した逆方向−互換性（ｂａｃｋｗａｒｄ−ｃｏｍｐａｔｉｂｉｌｉｔｙ）を支援する方案（以下、方案Ａ）、及び進展した無線通信システムに従うＵＥ（以下では、アドバンスＤＥ−ＵＥ（Ａ−ＵＥ）と称する）の動作にさらに最適化された方案（以下、方案Ｂ）について具体的に説明する。
【０４７４】
まず、上記の方案Ａは、△ｓｓ設定に対する第１方案（すなわち、上位層によって設定される△ｓｓ値をそのまま用いる方案）に関連していると理解すればよく、上記の方案Ｂは、△ｓｓ設定に対する第２又は第３方案（すなわち、上位層によって設定される△ｓｓ値を無視し、固定された特定△ｓｓ値（特に、△ｓｓ＝０）を適用する方案）に関連していると理解すればよい。ただし、それぞれの例示が△ｓｓ設定に対する第１、第２及び第３方案に制限されるものではない。
【０４７５】
方案Ａ
既存に定義された無線通信システムとＵＥ動作に対する逆方向−互換性（ｂａｃｋｗａｒｄ−ｃｏｍｐａｔｉｂｉｌｉｔｙ）を支援できる上りリンク参照信号生成動作について説明する。ＵＥは、任意接続手順（ｒａｎｄｏｍ  ａｃｃｅｓｓ  ｐｒｏｃｅｄｕｒｅ）のような初期セル接続時に、ＵＬ  ＲＳシーケンス生成のためのセル−特定パラメータ△ｓｓを、上位層シグナリングを通じて取得することができる。また、ＵＥは、ＰＳＳ及びＳＳＳに基づいて該当のセルのＰＣＩ（すなわち、
【０４７６】
【化１４０】
0005941561.tif 000170
【０４７７】
）を取得することができる。
【０４７８】
ＰＵＳＣＨ送信と関連して、ＵＥは、獲得したＰＣＩ及び△ｓｓを用いてｆｓｓＰＵＳＣＨを計算でき（上記の式８参照）、これによってＰＵＳＣＨ  ＤＭＲＳの循環シフトホッピング（Ｃｙｃｌｉｃｈ  Ｓｈｉｆｔ  Ｈｏｐｐｉｎｇ；ＣＳＨ）パターンを計算することができる（上記の式１２及び式１３参照）。ここで、ＣＳＨパターンを決定する擬似−任意シーケンスｃ（ｉ）の初期値をｃｉｎｉｔＣＳＨとし、上記の式１３でｆｓｓＰＵＳＣＨを上記の式８のｆｓｓＰＵＳＣＨに置き換え、上記の式８のｆｓｓＰＵＣＣＨを上記の式７のｆｓｓＰＵＣＣＨに置き換えると、ｃｉｎｉｔＣＳＨは、次式２６のように表現することができる。
【０４７９】
【数２６】
0005941561.tif 000171
【０４８０】
要するに、ＵＥは、初期接続段階でパラメータセット｛ＰＣＩ、△ｓｓ、ｃｉｎｉｔＣＳＨ｝を取得でき、これによってＵＬ  ＲＳシーケンスを生成することができる。
【０４８１】
方案Ａ−１
ＰＵＣＣＨ  ＤＭＲＳ、ＰＵＳＣＨ  ＤＭＲＳ、ＳＲＳなどのシーケンス生成は、上記の式１乃至式１４に対して上記パラメータセット｛ＰＣＩ、△ｓｓ、ｃｉｎｉｔＣＳＨ｝が適用される方式で行うことができる。ここで、ＰＣＩはＮＩＤｃｅｌｌであるため、上記の式１乃至式１４について説明した事項を同一に適用することができ、それについての重複説明は明瞭性のために省略する。
【０４８２】
方案Ａ−２
さらに、ＵＥにＶＣＩ及びＣＳＨパターンシード値が提供される場合において、本発明で提案するＵＥのＵＬ  ＲＳ生成動作について以下に説明する。
【０４８３】
例えば、ＵＥ−特定上位層シグナリング（例えば、ＲＲＣシグナリング）を通じて特定時点に｛ＶＣＩ（ｍ）、ｃｉｎｉｔＣＳＨ（ｍ）｝（ｍ＝０，１，２，…）がＵＥに提供され得る。ここで、ｍは、パラメータセットのインデックスである。例えば、ＰＵＣＣＨ  ＤＭＲＳ設定セットがＭ個存在し、Ｍ個のうちの一つのセットを指示する場合に、ｍ＝０，１，…，Ｍ−１のうちの一つの値を有することができる。また、ＰＵＳＣＨ  ＤＭＲＳ設定セットがＬ個存在し、Ｌ個のうちの一つのセットを指示する場合に、ｍ＝Ｍ，Ｍ＋１，…，Ｍ＋Ｌ−１のうちの一つの値を有することができる。また、ＳＲＳ設定セットがＮ個存在し、Ｎ個のうちの一つのセットを指示する場合に、ｍ＝Ｍ＋Ｌ，Ｍ＋Ｌ＋１，…，Ｍ＋Ｌ＋Ｎ−１のうちの一つの値を有することができる。
【０４８４】
ここで、｛ＶＣＩ（ｍ）、ｃｉｎｉｔＣＳＨ（ｍ）｝の複数個のセットが上位層シグナリングを通じて半−静的に提供されてもよく、その中で、ＵＥの使用すべき一つのセットを指示する特定インデックスｍの値は、動的にシグナリング（例えば、Ｌ１／Ｌ２シグナリング）されてもよい。
【０４８５】
以下の例示では、説明の便宜上、ＰＵＣＣＨ  ＤＭＲＳ設定セットの個数Ｍ＝１であると仮定する。すなわち、ＰＵＣＣＨ  ＤＭＲＳ設定セットが複数個与えられ、その中の一つが動的にスイッチングされて適用されてもよいが、以下の例示では、ＰＵＣＣＨ  ＤＭＲＳに対しては半−静的に設定されるインデックスｍ＝０に該当する設定セットである｛ＶＣＩ（０）、ｃｉｎｉｔＣＳＨ（０）｝を用いて、ＰＵＣＣＨ  ＤＭＲＳ生成のためのＶＣＩをＶＣＩＰＵＣＣＨ＝ＶＣＩ（０）に決定し、ＰＵＣＣＨ  ＤＭＲＳのＣＳＨパターンのためのシード値をｃｉｎｉｔＣＳＨ＿ＰＵＣＣＨ＝ｃｉｎｉｔＣＳＨ（０）に決定する場合を仮定する。ここで、インデックスｍ＝０に該当する設定セットである｛ＶＣＩ（０）、ｃｉｎｉｔＣＳＨ（０）｝が半−静的に設定されるということは、比較的長い周期でインデックスｍ＝０に該当する設定セットである｛ＶＣＩ（０）、ｃｉｎｉｔＣＳＨ（０）｝が変更され得るということを意味する。さらに、ＰＵＣＣＨの場合は、ＵＣＩを安定して運ぶことを目的とする制御チャネルであるという点で、このような半−静的なＤＭＲＳシーケンス変更が好ましいだろう。ただし、本発明の範囲から、Ｍが２以上の値を有する方式によってＰＵＣＣＨ  ＤＭＲＳに設定に対するＵＥ−特定上位層シグナリングが提供されることが排除されることはない。
【０４８６】
既存の方式によれば、ＰＵＣＣＨ  ＤＭＲＳのためのｃｉｎｉｔＣＳＨは、ｃｉｎｉｔＣＳＨ＿ＰＵＣＣＨ＝ＰＣＩと定義された。ＵＥにＶＣＩＰＵＣＣＨが提供される場合は、既存の方式をそのまま代入してＶＣＩＰＵＣＣＨに依存してｃｉｎｉｔＣＳＨ＿ＰＵＣＣＨ＝ＶＣＩＰＵＣＣＨと決定されるのではなく、本発明では、ＶＣＩＰＵＣＣＨと別途に（又は、独立して）定義されるｃｉｎｉｔＣＳＨ＿ＰＵＣＣＨをＵＥ−特定上位層シグナリングを通じて提供する方式であるといえる。これによって、ＭＵ−ＭＩＭＯペアリングされるＵＥに対して互いに異なるＶＣＩＰＵＣＣＨを設定する場合にも（互いに異なるＶＣＩＰＵＣＣＨが設定されても同一基本シーケンスが決定され得る）、同一ｃｉｎｉｔＣＳＨ＿ＰＵＣＣＨを設定することによって、ペアリングされたＵＥのＤＭＲＳ間にＯＣＣを適用して直交性を与えることができる。すなわち、本発明によれば、互いに独立したパラメータであるＶＣＩＰＵＣＣＨ及びｃｉｎｉｔＣＳＨ＿ＰＵＣＣＨがＵＥ−特定上位層シグナリングを通じて設定されてもよく、これによってＯＣＣによるＭＵ−ＭＩＭＯペアリング（特に、セル間（ｉｎｔｅｒ−ｃｅｌｌ）ＵＥペアリング）を支援することが可能になる。
【０４８７】
以下の例示では、Ｍ＝１（すなわち、ＰＵＣＣＨ  ＤＭＲＳ設定セットの個数が１）及びＬ＝１（すなわち、ＰＵＳＣＨ  ＤＭＲＳ設定セットの個数が１）の状況においてＵＥがＵＬ  ＲＳを生成する動作について説明する。ただし、これは、説明の明瞭性のためのもので、Ｍ、Ｌ、Ｎの一つ以上が１以上の値を有する場合に対しても、本発明で説明する同一の原理が適用されてもよいことは明らかである。
【０４８８】
方案Ａ−２−ｉ
Ｍ＝１、Ｌ＝１であれば、｛ＶＣＩ（０）、ｃｉｎｉｔＣＳＨ（０）｝は、上記説明した通り、ＰＵＣＣＨ用パラメータセットとして定義される。このとき、ｃｉｎｉｔＣＳＨ（０）が上位層シグナリングを通じて提供されるということは、ＶＣＩ（０）と独立的であるとともに明示的に与えられるｃｉｎｉｔＣＳＨ（０）を用いてＰＵＣＣＨ  ＣＳＨパターンを決定しろとの意味を有することができる。この場合、ＵＥが基本的に有しているＰＣＩとＶＣＩ（０）間の動的指示（又は、動的スイッチング）は、特定ＤＣＩフォーマットを通じてシグナリングされてもよい。
【０４８９】
又は、上位層シグナリングを通じてｃｉｎｉｔＣＳＨ（０）は提供されないでＶＣＩ（０）のみが提供される場合は、ｃｉｎｉｔＣＳＨ＿ＰＵＣＣＨ＝ＶＣＩ（０）と決定されてもよい。この場合にも、ＰＣＩとＶＣＩ（０）間の動的指示は、特定ＤＣＩフォーマットを通じてシグナリングされてもよい。
【０４９０】
ここで、Ｌ＝１であるため、｛ＶＣＩ（１）、ｃｉｎｉｔＣＳＨ（１）｝は、ＰＵＳＣＨ  ＤＭＲＳ設定パラメータセットとして定義される。ｃｉｎｉｔＣＳＨ（１）が上位層を通じて提供されるということは、既存方式のようにＶＣＩ（１）に基づくＰＵＳＣＨ  ＤＭＲＳ  ＣＳＨパターンを生成するのではなく、ＶＣＩ（１）と独立的であるとともに明示的に与えられるｃｉｎｉｔＣＳＨ（１）を用いてＰＵＳＣＨ  ＣＳＨパターンを決定しろとの意味を有することができる。この場合、本発明で提案するＰＵＳＣＨ用パラメータセット｛ＶＣＩ（１）、ｃｉｎｉｔＣＳＨ（１）｝とレガシーパラメータセット｛ＰＣＩ、△ｓｓ、ｃｉｎｉｔＣＳＨ｝）間の動的指示は、上りリンク−関連ＤＣＩを通じてシグナリングされてもよい。
【０４９１】
方案Ａ−２−ｉｉ
本方案は、Ｍ＝１、Ｌ＝１の場合に、上記の方案Ａ−２−ｉの適用を式で表現したものである。すなわち、以下に説明する本発明の例示は、ＵＥ動作の側面では、既存システムと逆方向−互換性を有するＵＬ  ＲＳ生成を支援する方式であるといえる。すなわち、既存の３ＧＰＰ  ＬＴＥリリース−１０で定義するシステムにおいて、ＵＥがＵＬ  ＲＳを生成するための既存の式（上記の式１乃至式１４に関する説明を参照）の形態又は計算過程は同様に維持し、単に、既存の式に入力されるパラメータが、本発明で提案するＶＣＩ（ｍ）、ｆｓｓＰＵＣＣＨ（ｍ）、ｃｉｎｉｔＣＳＨ（ｍ）などに置き換わる動作方式に該当する。
【０４９２】
具体的に、ＰＵＳＣＨ及びＰＵＣＣＨに対するグループホッピングパターンｆｇｈ（ｎｓ）は上記の式３と同一に定義される。ただし、擬似−任意シーケンスｃ（ｉ）は、上記の式６を修正して、各無線フレームの開始時に
【０４９３】
【化１４１】
0005941561.tif 000172
【０４９４】
値に初期化されるものと定義することができる。ここで、ＶＣＩ（０）は、ＰＵＣＣＨ用第１ＶＣＩに該当し、ＶＣＩ（１）はＰＵＳＣＨ用第２ＶＣＩに該当し得る。
【０４９５】
また、シーケンスシフトパターンｆｓｓは、ＰＵＣＣＨ及びＰＵＳＣＨに対して別途に定義することができる。ＰＵＣＣＨ（すなわち、ｍ＝０）に対する
【０４９６】
【化１４２】
0005941561.tif 000173
【０４９７】
は、上記の式７を修正して
【０４９８】
【化１４３】
0005941561.tif 000174
【０４９９】
と与え、ＰＵＳＣＨ（すなわち、ｍ＝１）に対する
【０５００】
【化１４４】
0005941561.tif 000175
【０５０１】
は、上記の式８を修正して
【０５０２】
【化１４５】
0005941561.tif 000176
【０５０３】
と与えることができる。ここでも
【０５０４】
【化１４６】
0005941561.tif 000177
【０５０５】
であり、上位層によって設定することができる。
【０５０６】
また、シーケンスホッピングをＭｓｃＲＳ≧６ＮｓｃＲＢのＲＳにのみ適用することは既存の方式と同一であるが、シーケンスホッピングに対する擬似−任意シーケンス生成器は、上記の式９を修正して、各無線フレームの開始時に
【０５０７】
【化１４７】
0005941561.tif 000178
【０５０８】
値で初期化されるものと定義することができる。
【０５０９】
また、スロットｎｓでＰＵＳＣＨ（すなわち、ｍ＝１）に対する循環シフト値
【０５１０】
【化１４８】
0005941561.tif 000179
【０５１１】
は、上記の表３の上段で説明した通り、
【０５１２】
【化１４９】
0005941561.tif 000180
【０５１３】
と与えられ、
【０５１４】
【化１５０】
0005941561.tif 000181
【０５１５】
と定義される。ここで、
【０５１６】
【化１５１】
0005941561.tif 000182
【０５１７】
に対する擬似−任意シーケンス生成器は、上記の式１３を修正して各無線フレームの開始時に
【０５１８】
【化１５２】
0005941561.tif 000183
【０５１９】
によって初期化されたり、又は
【０５２０】
【化１５３】
0005941561.tif 000184
【０５２１】
によって初期化されるものと定義することができる。
【０５２２】
また、ＰＵＣＣＨ（すなわち、ｍ＝０）フォーマットはいずれも、セル−特定ＣＳである
【０５２３】
【化１５４】
0005941561.tif 000185
【０５２４】
を用いる。
【０５２５】
【化１５５】
0005941561.tif 000186
【０５２６】
は、シンボル番号
【０５２７】
【化１５６】
0005941561.tif 000187
【０５２８】
及びスロット番号
【０５２９】
【化１５７】
0005941561.tif 000188
【０５３０】
によって互いに異なる値を有し、
【０５３１】
【化１５８】
0005941561.tif 000189
【０５３２】
によって決定される。ここで、擬似−任意シーケンスｃ（ｉ）は、各無線フレームの開始時に
【０５３３】
【化１５９】
0005941561.tif 000190
【０５３４】
によって初期化されたり、又は
【０５３５】
【化１６０】
0005941561.tif 000191
【０５３６】
によって初期化されるものと定義することができる。
【０５３７】
方案Ａ−２−ｉｉｉ
上記の方案Ａ−２−ｉ及びＡ−２−ｉｉで説明した通り、Ｍ＝１及びＬ＝１の状況を仮定する。本方案は、ＵＥが生成する基本シーケンスとターゲットセルのＵＥ’が生成する基本シーケンスとを同一にさせる例示に関する。特に、本方案では、ネットワークがＵＥにＶＣＩのみを上位層シグナリングしながら、ターゲットセルのＵＥ’が生成する基本シーケンスと同じ基本シーケンスが生成されるように、上記ＶＣＩ値を決定する方案に関する。例えば、特定セルでＰＵＳＣＨ用ＶＣＩ（１）をＵＥに上位層シグナリングするとき、ターゲットセルのＵＥ’が該ターゲットセルで提供するＰＣＩ’及び△ｓｓ’を利用し、ｆｓｓＰＵＣＣＨ’＝ＰＣＩ’ｍｏｄ３０及びｆｓｓＰＵＳＣＨ’＝（ｆｓｓＰＵＣＣＨ’＋△ｓｓ’）ｍｏｄ３０によって生成したＵＥ’の基本シーケンスが存在する場合、次のような方式によってＶＣＩ（１）を決定することができる。
【０５３８】
【数２７】
0005941561.tif 000192
【０５３９】
また、
【０５４０】
【化１６１】
0005941561.tif 000193
【０５４１】
は、次式２８のように整理できる。
【０５４２】
【数２８】
0005941561.tif 000194
【０５４３】
上記の式２８の結果を上記の式２７に代入すれば、次のように整理できる。
【０５４４】
【数２９】
0005941561.tif 000195
【０５４５】
基地局で上記の式２９によって決定されたＶＣＩ（１）値を自身のＵＥに提供すると、特定ターゲットセルのＵＥ’と同一の基本シーケンスを上記ＵＥが生成可能になる。
【０５４６】
上記の式２９の意味を具体的に説明すると、次の通りである。ＵＥ’の属したセルの
【０５４７】
【化１６２】
0005941561.tif 000196
【０５４８】
は
【０５４９】
【化１６３】
0005941561.tif 000197
【０５５０】
であり、
【０５５１】
【化１６４】
0005941561.tif 000198
【０５５２】
と与えられる。一方、ＵＥ’の属した上記ターゲットセルの
【０５５３】
【化１６５】
0005941561.tif 000199
【０５５４】
の整数部分（又は、商）と同じ値を有するように
【０５５５】
【化１６６】
0005941561.tif 000200
【０５５６】
と決定することができる。また、ＵＥ’の属した上記ターゲットセルの
【０５５７】
【化１６７】
0005941561.tif 000201
【０５５８】
のモジューロ部分（又は、余りの部分）と同じ値を有するようにするために、ターゲットセルで使用中である△ｓｓ’を考慮すると同時に、上記ＵＥの属したセルでセル−特定値として使用中である△ｓｓをあらかじめ除去しておくために、
【０５５９】
【化１６８】
0005941561.tif 000202
【０５６０】
と決定することができる。このように上記の式２９によって決定されたＶＣＩ（１）をＵＥにシグナリングする場合、ＵＥは、ｆｓｓＰＵＳＣＨを計算するとき、既存の方式による式７及び式８と同一の方式をそのまま適用しながら、単にパラメータのみを
【０５６１】
【化１６９】
0005941561.tif 000203
【０５６２】
からＶＣＩ（１）に置き換えて適用して、
【０５６３】
【化１７０】
0005941561.tif 000204
【０５６４】
によって計算する。ここで、ＵＥがｆｓｓＰＵＳＣＨを計算するにあって、△ｓｓは消去され、△ｓｓ’成分のみが残って、ＵＥ’と同じ基本シーケンスをＵＥも生成することが可能になる。
【０５６５】
ターゲットセルのＵＥ’と同じ基本シーケンスを生成するように、特定セルのＵＥにＶＣＩ値を設定する本発明の提案において、上記の説明は単なる例示的なものとして理解されるべきである。すなわち、ＣｏＭＰ  ＵＥの属したセルの△ｓｓをあらかじめ除去しておく方式とターゲットセルの△ｓｓ’成分を反映する方式によってＶＣＩのモジューロ部分を決定する様々な変形例又は変形された数式は本発明の範囲に含まれる。
【０５６６】
方案Ｂ
本方案Ｂは、既存の方式（例えば、上記の式１乃至１４によって説明した方式）又は既存の方式においてパラメータのみを新しく定義する方式によって、既存の計算方式をそのまま利用すべきという制約がない改善された−ＵＥ（Ａ−ＵＥ）に適用可能な本発明の例示に関する。
【０５６７】
方案Ｂ−１
ＵＥは、初期接続段階でパラメータセット｛ＰＣＩ、△ｓｓ、ｃｉｎｉｔＣＳＨ｝を取得することができ、これによってＵＬ  ＲＳシーケンスを生成することができる。ここで、ＰＵＣＣＨ  ＤＭＲＳ、ＰＵＳＣＨ  ＤＭＲＳ、ＳＲＳなどのシーケンス生成は、上記の方案Ａ−１で説明した通り、上記の式１乃至１４に対して上記パラメータセット｛ＰＣＩ、△ｓｓ、ｃｉｎｉｔＣＳＨ｝を適用する方式で行うことができる。
【０５６８】
方案Ｂ−２
さらに、ＵＥがＵＥ−特定上位層シグナリング（例えば、ＲＲＣシグナリング）を通じて特定時点に｛ＶＣＩ（ｍ）、ｃｉｎｉｔＣＳＨ（ｍ）｝（ｍ＝０，１，２，…）を受信する場合に、当該ＵＥがＵＬ  ＲＳを生成する動作について以下に説明する。
【０５６９】
方案Ｂ−２−ｉ
Ｍ＝１（すなわち、ＰＵＣＣＨ  ＤＭＲＳ設定セットの個数が１）及びＬ＝１（すなわち、ＰＵＳＣＨ  ＤＭＲＳ設定セットの個数が１）の状況を仮定してＵＥがＵＬ  ＲＳを生成する動作には、上記の方案Ａ−２−ｉで説明した事項を同一に適用することができる。ただし、Ｍ、Ｌ、Ｎの一つ以上が１以上の値を有する場合に対しても、本発明で説明する同様の原理が適用されてもよいことは明らかである。
【０５７０】
方案Ｂ−２−ｉｉ
本方案は、Ｍ＝１、Ｌ＝１の場合において、上記の方案Ｂ−２−ｉの適用を数式で表現したものである。すなわち、以下に説明する本発明の例示は、既存のシステムによるＵＥ動作（すなわち、レガシー−ＵＥ（Ｌ−ＵＥ）の動作）と異なるように定義される本発明の例示に関するものである。すなわち、既存の動作（上記の式１乃至式１４を参照して説明した方式）をそのまま用いたり、既存の動作においてパラメータのみを新しく定義（又は、置換え）する方式でなく、既存の動作と異なる方式で基本シーケンス生成の計算を行う方式に関する。
【０５７１】
具体的に、ＰＵＳＣＨ及びＰＵＣＣＨに対するグループホッピングパターンｆｇｈ（ｎｓ）は、上記の式３と同一に定義される。ただし、擬似−任意シーケンスｃ（ｉ）は、上記の式６を修正して、各無線フレームの開始時に
【０５７２】
【化１７１】
0005941561.tif 000205
【０５７３】
値に初期化されるものと定義できる。ここで、ＶＣＩ（０）はＰＵＣＣＨ用第１ＶＣＩに該当し、ＶＣＩ（１）はＰＵＳＣＨ用第２ＶＣＩに該当し得る。
【０５７４】
また、シーケンスシフトパターンｆｓｓは、ＰＵＣＣＨ及びＰＵＳＣＨに対して別々に定義することができる。ＰＵＣＣＨ（すなわち、ｍ＝０）に対する
【０５７５】
【化１７２】
0005941561.tif 000206
【０５７６】
は、上記の式７を修正して
【０５７７】
【化１７３】
0005941561.tif 000207
【０５７８】
と与えることができる。一方、ＰＵＳＣＨ（すなわち、ｍ＝１）に対する
【０５７９】
【化１７４】
0005941561.tif 000208
【０５８０】
は、上記の式８と異なる形態を有する、
【０５８１】
【化１７５】
0005941561.tif 000209
【０５８２】
と与えることができる。すなわち、実際にＰＵＣＣＨ用ＶＣＩ（０）とＰＵＳＣＨ用ＶＣＩ（１）が互いに異なるように与えられても、ＰＵＣＣＨ及びＰＵＳＣＨに対する
【０５８３】
【化１７６】
0005941561.tif 000210
【０５８４】
は共通に
【０５８５】
【化１７７】
0005941561.tif 000211
【０５８６】
と定義できる。
【０５８７】
また、シーケンスホッピングはＭｓｃＲＳ≧６ＮｓｃＲＢのＲＳにのみ適用されることは既存の方式と同一であるが、シーケンスホッピングに対する擬似−任意シーケンス生成器は、上記の式９を修正して、各無線フレームの開始時に
【０５８８】
【化１７８】
0005941561.tif 000212
【０５８９】
値で初期化されるものと定義することができる。
【０５９０】
また、スロットｎｓでＰＵＳＣＨ（すなわち、ｍ＝１）に対する循環シフト値
【０５９１】
【化１７９】
0005941561.tif 000213
【０５９２】
は、上記の表３の上段で説明した通り、
【０５９３】
【化１８０】
0005941561.tif 000214
【０５９４】
と与えられ、
【０５９５】
【化１８１】
0005941561.tif 000215
【０５９６】
と定義される。ここで、
【０５９７】
【化１８２】
0005941561.tif 000216
【０５９８】
に対する擬似−任意シーケンス生成器は、上記の式１３を修正して、各無線フレームの開始時に
【０５９９】
【化１８３】
0005941561.tif 000217
【０６００】
で初期化されたり、又は
【０６０１】
【化１８４】
0005941561.tif 000218
【０６０２】
で初期化されるものと定義できる。
【０６０３】
また、ＰＵＣＣＨ（すなわち、ｍ＝０）フォーマットはいずれも、セル−特定ＣＳである
【０６０４】
【化１８５】
0005941561.tif 000219
【０６０５】
を用いる。
【０６０６】
【化１８６】
0005941561.tif 000220
【０６０７】
はシンボル番号
【０６０８】
【化１８７】
0005941561.tif 000221
【０６０９】
及びスロット番号
【０６１０】
【化１８８】
0005941561.tif 000222
【０６１１】
によって互いに異なる値を有し、
【０６１２】
【化１８９】
0005941561.tif 000223
【０６１３】
によって決定される。ここで、擬似−任意シーケンスｃ（ｉ）は、各無線フレームの開始時に
【０６１４】
【化１９０】
0005941561.tif 000224
【０６１５】
で初期化されたり、又は
【０６１６】
【化１９１】
0005941561.tif 000225
【０６１７】
で初期化されるものと定義できる。
【０６１８】
前述した本発明の方案Ｂ−２−ｉｉからわかるように、ＵＬ  ＲＳシーケンス生成においてＵＥ動作をより単純化させて最適化させることができる。例えば、シーケンスシフトパターンであるｆｓｓを単純に
【０６１９】
【化１９２】
0005941561.tif 000226
【０６２０】
によって決定する新しい計算方式が提供される。すなわち、ＶＣＩ（ｍ）がＲＲＣシグナリングなどを通じて提供された場合なら、常に△ｓｓ＝０と仮定／適用して動作することとも表現することができる。すなわち、ＵＥがＶＣＩ（ｍ）を受信した時点からは、既存に有していた（すなわち、既存に上位層によって設定された）セル−特定値である△ｓｓはそれ以上使用しないこととも表現することができる。
【０６２１】
方案Ｂ−２−ｉｉｉ
上記の方案Ｂ−２−ｉ及びＢ−２−ｉｉで説明した通り、Ｍ＝１及びＬ＝１の状況を仮定する。本方案は、ＵＥが生成する基本シーケンスとターゲットセルのＵＥ’が生成する基本シーケンスとを同一にさせる例示に関する。特に、本方案では、ネットワークがＵＥにＶＣＩのみを上位層シグナリングしながら、ターゲットセルのＵＥ’が生成する基本シーケンスと同じ基本シーケンスが生成されるように、上記ＶＣＩ値を決定する方案に関する。例えば、特定セルでＰＵＳＣＨ用ＶＣＩ（１）をＵＥに上位層シグナリングするとき、ターゲットセルのＵＥ’がターゲットセルで提供するＰＣＩ’及び△ｓｓ’を利用し、ｆｓｓＰＵＣＣＨ’＝ＰＣＩ’ｍｏｄ３０及びｆｓｓＰＵＳＣＨ’＝（ｆｓｓＰＵＣＣＨ’＋△ｓｓ’）ｍｏｄ３０によって生成したＵＥ’の基本シーケンスが存在する場合、次のような方式によってＶＣＩ（１）を決定することができる。
【０６２２】
【数３０】
0005941561.tif 000227
【０６２３】
基地局で上記の式３０によって決定されたＶＣＩ（１）値を自身のＵＥに提供すると、特定ターゲットセルのＵＥ’と同じ基本シーケンスを当該ＵＥが生成することが可能になる。
【０６２４】
上記の式３０の意味を具体的に説明すると、次の通りである。ＵＥ’の属したセルの
【０６２５】
【化１９３】
0005941561.tif 000228
【０６２６】
は
【０６２７】
【化１９４】
0005941561.tif 000229
【０６２８】
であり、
【０６２９】
【化１９５】
0005941561.tif 000230
【０６３０】
と与えられる。一方、ＵＥ’の属したターゲットセルの
【０６３１】
【化１９６】
0005941561.tif 000231
【０６３２】
の整数部分（又は、商）と同じ値を有するように
【０６３３】
【化１９７】
0005941561.tif 000232
【０６３４】
と決定することができる。また、ＵＥ’の属したターゲットセルの
【０６３５】
【化１９８】
0005941561.tif 000233
【０６３６】
のモジューロ部分（又は、余り部分）と同じ値を有するようにするために、ターゲットセルで使用中の△ｓｓ’のみを考慮して（すなわち、ＵＥは常に△ｓｓ＝０と仮定する）
【０６３７】
【化１９９】
0005941561.tif 000234
【０６３８】
を決定するようになる。このように上記の式３０によって決定されたＶＣＩ（１）をＵＥにシグナリングする場合、ＵＥは
【０６３９】
【化２００】
0005941561.tif 000235
【０６４０】
によって簡単にｆｓｓを計算することができ、ここに△ｓｓ’成分が反映されているため、ＵＥはＵＥ’と同一の基本シーケンスを生成することが可能になる。
【０６４１】
ターゲットセルのＵＥ’と同じ基本シーケンスを生成するように、特定セルのＵＥにＶＣＩ値を設定する本発明の提案において、上記の説明は単に例示的なものとして理解されなければならない。すなわち、ターゲットセルの△ｓｓ’成分のみを反映する方式によってＶＣＩのモジューロ部分を決定する様々な変形例又は変形された数式は、本発明の範囲に含まれる。
【０６４２】
上記の方案Ａ乃至方案Ｂを説明するための例示において、上記Ｍ、Ｌ、Ｎ値は任意の値であってもよく、それぞれの値が１よりも大きい値であるときは、該当の多数のＲＳ設定パラメータセットの中で特定の一つをＤＣＩフォーマットを通じて動的に指示（又は、動的スイッチング）してもよい。
【０６４３】
また、ＳＲＳシーケンス生成のためのＮも１より大きい場合は、多数のＳＲＳシーケンスをＣｏＭＰ  ＵＥが生成できるということを意味する。また、各場合においてＭ、Ｌ、Ｎ値が１よりも大きいといっても、動的指示の対象となるＲＳ設定セットの中では、当該ＵＥが最初に取得した当該セルのセル−特定パラメータセット（すなわち、｛ＰＣＩ、△ｓｓ、ｃｉｎｉｔＣＳＨ｝設定セット）は常にデフォルト（ｄｅｆａｕｌｔ）として適用されるように（すなわち、フォールバックモード形態として適用されるように）含まれてもよい。
【０６４４】
ＶＣＩの細分化方案
前述した本発明の諸例示においてＶＣＩを用いてＵＬ  ＲＳ基本シーケンスを生成するにあって、ＰＵＣＣＨとＰＵＳＣＨを区別しないで共通ＶＣＩを用いる方案、又はＰＵＣＣＨとＰＵＳＣＨに対して別々のＶＣＩを用いる方案を代表的な例示として説明した。
【０６４５】
さらに、本発明では、細分化された目的によって独立した（又は、別々の）ＶＣＩを設定及び利用する方案を提案する。
【０６４６】
例えば、ＰＵＳＣＨ用ＤＭＲＳ基本シーケンスの生成は、グループホッピング、シーケンスシフト、シーケンスホッピング、又は循環シフトホッピング（ＣＳＨ）のそれぞれに対して個別のＶＣＩを用いるように設定することもできる。又は、グループホッピング、シーケンスシフト、シーケンスホッピング、又はＣＳＨの動作を一つ以上のグループにグループ化し、それぞれのグループでは共通のＶＣＩを用いるように設定することもできる。例えば、グループホッピング／シーケンスホッピングとシーケンスシフトでは共通のＶＣＩを用いるように設定し、ＣＳＨでのみ別のＶＣＩＣＳＨ（又は、
【０６４７】
【化２０１】
0005941561.tif 000236
【０６４８】
）を用いるように設定することもできる。このような細分化されたＶＣＩは上位層シグナリング（例えば、ＲＲＣシグナリング）を通じて設定され、それぞれの細分化されたＶＣＩの範囲は０乃至５０９を有することもできる。
【０６４９】
また、細分化されたＶＣＩを設定する基準として、ＰＵＳＣＨに対するグループホッピング、ＰＵＳＣＨに対するグループホッピング、ＰＵＳＣＨに対するシーケンスシフト、ＰＵＣＣＨに対するシーケンスシフト、ＰＵＳＣＨに対するシーケンスホッピング、ＰＵＳＣＨに対するＣＳＨ、又はＰＵＣＣＨに対するＣＳＨを一つ以上のグループにグループ化し、それぞれのグループでは共通のＶＣＩを用いるように設定することもできる。
【０６５０】
例えば、上記の式１８（すなわち、ＰＵＳＣＨ及びＰＵＣＣＨのそれぞれに対するグループホッピング）、式２０（すなわち、ＰＵＣＣＨに対するシーケンスシフト）、及び式２３（すなわち、ＰＵＳＣＨに対するシーケンスシフトに対する第１又は第２方案）（又は、追加的に上記の式１６（すなわち、ＰＵＳＣＨに対するシーケンスシフトに対する第３方案））に対してはいずれも、同一の一つのＶＣＩ（例えば、ＮＩＤ（ＰＵＳＣＨ）∈｛０，…，５０９｝）が共通に適用されるようにすることができる。一方、上記の式２５（すなわち、ＰＵＳＣＨに対するシーケンスホッピング）に対しては別のＶＣＩ（例えば、ＮＩＤ，ｓｅｑ（ＰＵＳＣＨ）∈｛０，…，５０９｝）を使用するように設定して、独立したシーケンスホッピングパターンを発生させることによって追加のＤＭＲＳ柔軟性（ｆｌｅｘｉｂｉｌｉｔｙ）を提供することができる。また、上記の式２６（すなわち、ＰＵＳＣＨに対するＣＳＨ）に対しては、さらに別のＶＣＩ（例えば、ＮＩＤ，ＣＳＨ（ＰＵＳＣＨ）∈｛０，…，５０９｝又は∈｛０，…，５０９｝）を使用するように設定して、独立した循環シフトホッピングを発生させることによってセル−間ＭＵ−ＭＩＭＯペアリングなどのさらに追加のＤＭＲＳ柔軟性を提供することもできる。
【０６５１】
他の例示として、上記の式１８、式２０、式２３（又は、式１６）、及び上記の式２５に対していずれも同一の一つのＶＣＩ（例えば、ＮＩＤ（ＰＵＳＣＨ）∈｛０，…，５０９｝）が共通に適用されるようにする一方、上記の式２６（すなわち、ＰＵＳＣＨに対するＣＳＨ）に対してのみ別のＶＣＩ（例えば、ＮＩＤ，ＣＳＨ（ＰＵＳＣＨ）∈｛０，…，５０９｝又は∈｛０，…，５０９｝）を使用するように設定して、独立した循環シフトホッピングを発生させるようにすることもできる。この場合、上記の式２６を次式３１のように修正することができる。
【０６５２】
【数３１】
0005941561.tif 000237
【０６５３】
上記の式３０のように、ＣＳＨに用いられるパラメータが、基本シーケンス生成の他の動作（例えば、グループホッピング／シーケンスホッピング及び／又はシーケンスシフト）に用いられるパラメータと別に設定される場合、上記の式１３（すなわち、ＣＳＨでの擬似−任意シーケンスの初期値に対する既存の方式）でＰＣＩがＶＣＩ（すなわち、ＮＩＤ，ＣＳＨ（ＰＵＳＣＨ）又は
【０６５４】
【化２０２】
0005941561.tif 000238
【０６５５】
）に置き換わるだけでなく、ｆｓｓＰＵＳＣＨも上記ＶＣＩ（すなわち、ＮＩＤ，ＣＳＨ（ＰＵＳＣＨ）又は
【０６５６】
【化２０３】
0005941561.tif 000239
【０６５７】
）を考慮して計算されなければならない。
【０６５８】
ここで、ｆｓｓＰＵＳＣＨの計算においては、上記の式２３又は上記の式１６を参照して説明した通り、Δｓｓ設定に対する第１、第２、第３方案の一つを適用することができる。上記の式３０の例示は、第３方案（すなわち、Δｓｓ＝０）による
【０６５９】
【化２０４】
0005941561.tif 000240
【０６６０】
においてＮＩＤ（ＰＵＳＣＨ）値をＮＩＤ，ＣＳＨ（ＰＵＳＣＨ）（又は、
【０６６１】
【化２０５】
0005941561.tif 000241
【０６６２】
）値に置き換える場合に該当する。
【０６６３】
また、シーケンスホッピングにおいて上記の式２５のｆｓｓＰＵＳＣＨの計算においても、Δｓｓ設定に対する第１、第２、第３方案の一つを適用することができ、細分化された設定によるＶＣＩ（例えば、ＮＩＤ（ＰＵＳＣＨ）、ＮＩＤ，ｓｅｑ（ＰＵＳＣＨ）、又はＮＩＤ，ＣＳＨ（ＰＵＳＣＨ）の一つ）を適用することができる。
【０６６４】
仮に、ＵＥ−特定上位層シグナリングを通じてＵＥが一つのＮＩＤ（ＰＵＳＣＨ）値のみを受信する場合に、上記の式１８、式２０、式２３（又は、式１６）、式２５及び式２６に対していずれも同一のＮＩＤ（ＰＵＳＣＨ）値を用いて基本シーケンス生成を行うことができる。
【０６６５】
仮に、特定時点に上位層シグナリングを通じて｛ＮＩＤ（ＰＵＳＣＨ）、
【０６６６】
【化２０６】
0005941561.tif 000242
【０６６７】
｝パラメータセットを受信する場合に、上記の式１８、式２０、式２３（又は、式１６）及び式２５に対してはいずれも同一のＮＩＤ（ＰＵＳＣＨ）値を用いる一方、上記の式２６のＣＳＨパターンに対しては
【０６６８】
【化２０７】
0005941561.tif 000243
【０６６９】
値を用いるように（又は、
【０６７０】
【化２０８】
0005941561.tif 000244
【０６７１】
値を用いたりＮＩＤ（ＰＵＳＣＨ）値を用いることの中で動的スイッチングが適用されるように）することもできる。動的スイッチングは、上位層シグナリングによってあらかじめ設定されているパラメータの中でいずれのものを使用するかに対する指示を、ＤＣＩフォーマットの特定フィールドを用いて知らせることを含むことができる。
【０６７２】
仮に、ＵＥが上位層シグナリングを通じて特定時点に｛ＮＩＤ（ＰＵＳＣＨ）、ＮＩＤ，ｓｅｑ（ＰＵＳＣＨ）｝パラメータセットを受信すると、上記の式１８、式２０、式２３（又は、式１６）、及び式２６に対してはいずれも同一のＮＩＤ（ＰＵＳＣＨ）値を用いる一方、上記の式２５のシーケンスホッピングパターンに対してはＮＩＤ，ｓｅｑ（ＰＵＳＣＨ）値を用いるように（又は、ＮＩＤ，ｓｅｑ（ＰＵＳＣＨ）値を用いたりＮＩＤ（ＰＵＳＣＨ）値を用いることの中で動的スイッチングが適用されるように）することもできる。
【０６７３】
仮に、ＵＥが上位層シグナリングを通じて特定時点に｛ＮＩＤ（ＰＵＳＣＨ）、ＮＩＤ，ｓｅｑ（ＰＵＳＣＨ）、｝パラメータセットを受信すると、上記の式１８、式２０、式２３（又は、式１６）に対してはいずれも同一のＮＩＤ（ＰＵＳＣＨ）値を用いる一方、上記の式２５のシーケンスホッピングパターンに対してはＮＩＤ，ｓｅｑ（ＰＵＳＣＨ）値を用いるように（又は、ＮＩＤ，ｓｅｑ（ＰＵＳＣＨ）値を用いたりＮＩＤ（ＰＵＳＣＨ）値を用いることの中で動的スイッチングが適用されるように）し、且つ上記の式２６のＣＳＨパターンに対しては
【０６７４】
【化２０９】
0005941561.tif 000245
【０６７５】
値を用いるように（又は、
【０６７６】
【化２１０】
0005941561.tif 000246
【０６７７】
値を用いたりＮＩＤ（ＰＵＳＣＨ）値を用いることの中で動的スイッチングが適用されるように）することもできる。
【０６７８】
また、本発明では主に上りリンクＤＭＲＳの例示を通じてＣｏＭＰ動作をより效率的に支援できる動作について説明したが、本発明の範囲は、これに制限されるものではなく、他の上りリンクＲＳの送受信方案に対しても本発明と同一の原理が適用される例示を含む。
【０６７９】
図１３は、本発明に係る上りリンクＤＭＲＳ送信方法を説明するためのフローチャートである。
【０６８０】
段階Ｓ１３１０で、端末は基地局から上位層シグナリング（例えば、ＲＲＣシグナリング）を通じてＶＣＩ（例えば、
【０６８１】
【化２１１】
0005941561.tif 000247
【０６８２】
）を受信することができる。ここで、ＰＵＣＣＨ  ＤＭＲＳ用第１ＶＣＩ（例えば、
【０６８３】
【化２１２】
0005941561.tif 000248
【０６８４】
）とＰＵＳＣＨ  ＤＭＲＳ用第２ＶＣＩ（例えば、
【０６８５】
【化２１３】
0005941561.tif 000249
【０６８６】
）は別個のパラメータとして（すなわち、独立したパラメータとして）シグナリング／設定され得る。また、基本シーケンス生成のそれぞれの動作（特に、ＰＵＳＣＨ  ＤＭＲＳ  ＣＳＨ適用）に対して細分化された別個のＶＣＩがシグナリング／設定されてもよい。
【０６８７】
段階Ｓ１３２０で、端末は参照信号シーケンス（例えば、ＰＵＣＣＨ  ＤＭＲＳシーケンス及び／又はＰＵＳＣＨ  ＤＭＲＳシーケンス）を生成することができる。ＤＭＲＳシーケンス生成において、本発明で提案する例示を適用することができる。例えば、上位層によってＶＣＩが設定される場合には、本発明で提案する例示によってグループホッピングパターン、シーケンスシフトパターン、シーケンスホッピング及び／又はＣＳホッピングなどを決定することができ、これによってＤＭＲＳシーケンスを生成することができる。仮に、上位層によってＶＣＩが設定されない場合には、既存の無線通信システムで定義するように、ＰＣＩを用いてＰＵＣＣＨ  ＤＭＲＳシーケンス及び／又はＰＵＳＣＨ  ＤＭＲＳシーケンスを生成することができる。以上の本発明の様々な実施例で説明した事項は独立して適用されてもよく、２つ以上の実施例が同時に適用されてもよい。その重複する内容は明確性のために説明を省略する。
【０６８８】
段階Ｓ１３３０で、端末は、生成されたＤＭＲＳを上りリンクリソースにマップして、基地局に送信することができる。ＰＵＳＣＨ  ＤＭＲＳがマップされるリソース要素の位置及び／又はＰＵＣＣＨ  ＤＭＲＳがマップされるリソース要素の位置は、図５乃至図１０を参照して説明した通りである。
【０６８９】
一方、基地局にとっては、端末が送信する上りリンク参照信号を受信するに当たり、本発明で提案する参照信号シーケンス生成方案に従って端末が参照信号を生成したと仮定した上、参照信号を検出することができる。
【０６９０】
図１４は、本発明に係る端末装置の好適な実施例の構成を示す図である。
【０６９１】
図１４を参照すると、本発明に係る端末装置１０は、送信器１１、受信器１２、プロセッサ１３、メモリー１４及び複数個のアンテナ１５を備えることができる。複数個のアンテナ１５は、ＭＩＭＯ送受信を支援する端末装置を意味する。送信器１１は、外部装置（例えば、基地局）に各種の信号、データ及び情報を送信することができる。受信器１２は、外部装置（例えば、基地局）から各種の信号、データ及び情報を受信することができる。プロセッサ１３は、端末装置１０の動作全般を制御することができる。
【０６９２】
本発明の一例に係る端末装置１０は、上りリンク信号を送信するように構成することができる。
【０６９３】
端末装置１０のプロセッサ１３は、受信器１１を用いて基地局から上位層シグナリング（例えば、ＲＲＣシグナリング）を通じてＶＣＩ（例えば、
【０６９４】
【化２１４】
0005941561.tif 000250
【０６９５】
）を受信することができる。ここで、ＰＵＳＣＨ  ＤＭＲＳ用ＶＣＩ（例えば、
【０６９６】
【化２１５】
0005941561.tif 000251
【０６９７】
）とＰＵＣＣＨ  ＤＭＲＳ用ＶＣＩ（例えば、
【０６９８】
【化２１６】
0005941561.tif 000252
【０６９９】
）は独立してシグナリング／設定され得る。
【０７００】
端末装置１０のプロセッサ１３は、参照信号シーケンス（例えば、ＰＵＣＣＨ  ＤＭＲＳシーケンス及び／又はＰＵＳＣＨ  ＤＭＲＳシーケンス）を生成するように構成することができる。ＤＭＲＳシーケンス生成において、本発明で提案する例示を適用することができる。例えば、プロセッサ１３は、上位層によってＶＣＩが設定される場合には、本発明で提案する例示に従ってグループホッピングパターン、シーケンスシフトパターン、シーケンスホッピング及び／又はＣＳホッピングなどを決定でき、これによってＤＭＲＳシーケンスを生成することができる。又は、ＶＣＩの可能なそれぞれの場合に対して生成されるようなグループホッピングパターン、シーケンスシフトパターン、シーケンスホッピング及び／又はＣＳホッピングの値をあらかじめテーブルとして作成しておき、設定されるＶＣＩ値によって適切な結果物を見つかる方式で上記例示が具現されてもよい。仮に、上位層によってＶＣＩが設定されない場合は、既存の無線通信システムで定義するように、ＰＣＩを用いてＰＵＣＣＨ  ＤＭＲＳシーケンス及び／又はＰＵＳＣＨ  ＤＭＲＳシーケンスが生成されてもよい。
【０７０１】
端末装置１０のプロセッサ１３は、生成されたＤＭＲＳを上りリンクリソースにマップして、送信器１２を用いて基地局に送信することができる。ＰＵＳＣＨ  ＤＭＲＳがマップされるリソース要素の位置及び／又はＰＵＣＣＨ  ＤＭＲＳがマップされるリソース要素の位置は、図５乃至図１０を参照して説明した通りである。
【０７０２】
端末装置１０のプロセッサ１３は、その他にも、端末装置１０が受信した情報、外部に送信する情報などを演算処理する機能を担い、メモリー１４は、演算処理された情報などを所定時間記憶することができる。メモリー１４はバッファー（図示せず）などの構成要素に取り替えてもよい。
【０７０３】
このような端末装置１０の具体的な構成は、前述した本発明の様々な実施例で説明した事項が独立して適用されたり、又は２つ以上の実施例が同時に適用されるように具現することができ、重複する内容は明確性のために説明を省略する。
【０７０４】
また、本発明に係る基地局装置は、送信器、受信器、プロセッサ、メモリー及びアンテナなどを備えるように構成することができる。基地局装置のプロセッサは、端末装置１０が送信する上りリンク参照信号を受信するに当たり、本発明で提案する参照信号シーケンス生成方案に従って端末装置１０が参照信号を生成したと仮定した上、参照信号を検出するように構成することができる。
【０７０５】
また、本発明の様々な実施例の説明において、下りリンク送信主体（ｅｎｔｉｔｙ）又は上りリンクとしては主に基地局を例に取って説明し、下りリンク受信主体又は上りリンク送信主体としては主に端末を例に取って説明したが、本発明の範囲がこれに制限されるものではない。例えば、上記の基地局に関する説明は、セル、アンテナポート、アンテナポートグループ、ＲＲＨ、送信ポイント、受信ポイント、アクセスポイント、中継機などが端末への下りリンク送信主体となったり、端末からの上りリンク受信主体となる場合にも同様に適用することができる。また、中継機が端末への下りリンク送信主体となったり端末からの上りリンク受信主体となる場合、又は中継機が基地局への上りリンク送信主体となったり基地局からの下りリンク受信主体となる場合にも、本発明の様々な実施例を通じて説明した本発明の原理を同様に適用することもできる。
【０７０６】
上述した本発明の実施例は様々な手段を用いて具現することができる。例えば、本発明の実施例は、ハードウェア、ファームウェア（ｆｉｒｍｗａｒｅ）、ソフトウェア又はそれらの結合などによって具現することができる。
【０７０７】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０７０８】
ファームウェアやソフトウェアによる具現の場合、本発明の実施例に係る方法は、以上で説明された機能又は動作を実行するモジュール、手順又は関数などの形態で具現することができる。ソフトウェアコードは、メモリーユニットに保存され、プロセッサによって駆動されてよい。メモリーユニットは、プロセッサの内部又は外部に設けられ、既に公知の様々な手段によってプロセッサとデータを交換することができる。
本明細書は、例えば、以下の項目も提供する。
（項目１）
無線通信システムの端末で上りリンク信号を送信する方法であって、
物理上りリンク共有チャネル（ＰＵＳＣＨ）の復調のための参照信号に対するパラメータ
【化２１７】
0005941561.tif 000253
が提供される場合、前記
【化２１８】
0005941561.tif 000254
に基づいて前記参照信号のシーケンスを生成することと、
前記生成された参照信号を基地局に送信することと、を含み、
前記
【化２１９】
0005941561.tif 000255
が提供される場合に、前記参照信号の循環シフトホッピングの決定に用いられる擬似−任意シーケンス生成器は、それぞれの無線フレームの開始時に、式
【化２２０】
0005941561.tif 000256
によって初期化され、
【化２２１】
0005941561.tif 000257
は、擬似−任意シーケンスの初期値であり、
ｍｏｄは、モジューロ演算を意味する、上りリンク信号送信方法。
（項目２）
前記端末に対して前記
【化２２２】
0005941561.tif 000258
に追加的なパラメータとして、前記参照信号に対する仮想セルＩＤ
【化２２３】
0005941561.tif 000259
が提供される、項目１に記載の上りリンク信号送信方法。
（項目３）
前記
【化２２４】
0005941561.tif 000260
は、前記参照信号に対する循環シフトホッピングに用いられ、
前記
【化２２５】
0005941561.tif 000261
は、前記参照信号に対するグループホッピングパターン、シーケンスシフトパターン、又
はシーケンスホッピングパターンのうち一つ以上に対して用いられる、項目２に記載の上りリンク信号送信方法。
（項目４）
前記
【化２２６】
0005941561.tif 000262
が提供され、前記参照信号に対するシーケンスグループホッピングが可能化される場合、グループホッピングパターンの決定に用いられる擬似−任意シーケンス生成器は、それぞれの無線フレームの開始時に、式
【化２２７】
0005941561.tif 000263
によって初期化される、項目２に記載の上りリンク信号送信方法。
（項目５）
前記
【化２２８】
0005941561.tif 000264
が提供される場合、前記参照信号のシーケンスシフトパターンである
【化２２９】
0005941561.tif 000265
は、式
【化２３０】
0005941561.tif 000266
によって決定される、項目２に記載の上りリンク信号送信方法。
（項目６）
前記
【化２３１】
0005941561.tif 000267
が提供され、前記参照信号に対するシーケンスグループホッピングが不能化され、シーケンスホッピングが可能化される場合、基本シーケンス番号ｖの決定に用いられる擬似−任意シーケンス生成器は、それぞれの無線フレームの開始時に、式
【化２３２】
0005941561.tif 000268
によって初期化される、項目５に記載の上りリンク信号送信方法。
（項目７）
前記
【化２３３】
0005941561.tif 000269
に対する値が提供されない場合、前記
【化２３４】
0005941561.tif 000270
は、式
【化２３５】
0005941561.tif 000271
によって決定され、
【化２３６】
0005941561.tif 000272
は、物理層セルＩＤである、項目２に記載の上りリンク信号送信方法。
（項目８）
前記
【化２３７】
0005941561.tif 000273
に対する値が提供されない場合、前記参照信号のシーケンスシフトパターンである
【化２３８】
0005941561.tif 000274
は、式
【化２３９】
0005941561.tif 000275
によって決定され、
【化２４０】
0005941561.tif 000276
は上位層によって設定され、
【化２４１】
0005941561.tif 000277
である、項目２に記載の上りリンク信号送信方法。
（項目９）
前記
【化２４２】
0005941561.tif 000278
に対する値が提供されず、前記参照信号に対するシーケンスグループホッピングが不能化され、シーケンスホッピングが可能化される場合、基本シーケンス番号ｖの決定に用いられる擬似−任意シーケンス生成器は、それぞれの無線フレームの開始時に、式
【化２４３】
0005941561.tif 000279
によって初期化される、項目８に記載の上りリンク信号送信方法。
（項目１０）
前記
【化２４４】
0005941561.tif 000280
及び
【化２４５】
0005941561.tif 000281
は、上位層によって提供される、項目２に記載の上りリンク信号送信方法。
（項目１１）
前記
【化２４６】
0005941561.tif 000282
は、０乃至５０９の中で一つの値に設定される、項目２に記載の上りリンク信号送信方法。
（項目１２）
前記
【化２４７】
0005941561.tif 000283
に対する値が提供されない場合に、前記参照信号の循環シフトホッピングの決定に用いられる擬似−任意シーケンス生成器は、それぞれの無線フレームの開始時に、式
【化２４８】
0005941561.tif 000284
によって初期化され、
【化２４９】
0005941561.tif 000285
は、物理層セルＩＤであり、
【化２５０】
0005941561.tif 000286
は、上位層によって設定され、
【化２５１】
0005941561.tif 000287
である、項目１に記載の上りリンク信号送信方法。
（項目１３）
前記
【化２５２】
0005941561.tif 000288
は、０乃至５０９の中で一つの値に設定される、項目１に記載の上りリンク信号送信方法。
（項目１４）
前記参照信号は、前記ＰＵＳＣＨが送信されるスロットにおいて、一つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔ
ｉｐｌｅ  Ａｃｃｅｓｓ）シンボル上で送信される、項目１に記載の上りリンク信号送信方法。
（項目１５）
上りリンク信号を送信する端末装置であって、
受信器と、
送信器と、
プロセッサと、を備え、
前記プロセッサは、物理上りリンク共有チャネル（ＰＵＳＣＨ）の復調のための参照信号に対する仮想セルＩＤ
【化２５３】
0005941561.tif 000289
が提供される場合、前記
【化２５４】
0005941561.tif 000290
に基づいて前記参照信号のシーケンスを生成し；生成された前記参照信号を基地局に前記送信器を用いて送信するように構成され、
前記
【化２５５】
0005941561.tif 000291
が提供される場合に、前記参照信号の循環シフトホッピングの決定に用いられる擬似−任意シーケンス生成器は、それぞれの無線フレームの開始時に、式
【化２５６】
0005941561.tif 000292
によって初期化され、
【化２５７】
0005941561.tif 000293
は、擬似−任意シーケンスの初期値であり、
ｍｏｄは、モジューロ演算を意味する、上りリンク信号送信端末装置。
【０７０９】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【０７１０】
本発明は、本発明の精神及び必須特徴から逸脱することなく、他の特定の形態に具体化することができる。そのため、上記の詳細な説明はいずれの面においても制約的に解釈してはならず、例示的なものとして考慮しなければならない。本発明の範囲は、添付した請求項の合理的解釈によって定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成してもよく、出願後の補正によって新しい請求項として含めてもよい。
【産業上の利用可能性】
【０７１１】
上述したような本発明の実施の形態は様々な移動通信システムに適用可能である。
【図１】
0005941561.tif 000346
【図２】
0005941561.tif 000347
【図３】
0005941561.tif 000348
【図４】
0005941561.tif 000349
【図５】
0005941561.tif 000350
【図６】
0005941561.tif 000351
【図７】
0005941561.tif 000352
【図８】
0005941561.tif 000353
【図９】
0005941561.tif 000354
【図１０】
0005941561.tif 000355
【図１１】
0005941561.tif 000356
【図１２】
0005941561.tif 000357
【図１３】
0005941561.tif 000358
【図１４】
0005941561.tif 000359